(57)【要約】【課題】同一カッド内に使用されているＡＤＳＬ回線９０２に影響を与えないように、事前に、同一カッド内で上り回線のサブキャリアと下り回線のサブキャリアとで重なる部分のサブキャリアが使用できる回線の確保を行うことにある。【解決手段】ＮＭＳ１は、ＤＳＬＡＭ２がＡＤＳＬ回線９０２で上りと下りがオーバラップするサブキャリアの試験を行わせることで、回線ケーブル３にある同一カッドのＡＤＳＬ回線９０２どうしの漏洩等による通信障害を監視する。ＮＭＳ１は、障害が発生すると、試験を行わせたＤＳＬＡＭ２に試験を行ったＡＤＳＬ回線９０２のサブキャリアの使用を停止させる。【選択図】      図１
2005295528.tif 000002
【特許請求の範囲】
【請求項１】
複数の装置との間で複数の回線を束ねたケーブルで接続する手段と、前記複数の装置との間で前記回線上をマルチサブキャリアで信号のやり取りを行う手段とを有する回線による帯域制御方式であって、
前記複数のケーブルの内ある前記回線上の上り回線と下り回線のサブキャリアの割当を変動させて前記ケーブル内で混在した場合に、前記ケーブル内で下り回線のサブキャリアと上り回線のサブキャリアとが重なる部分のサブキャリアの試験を行う試験手段と、
前記試験手段による試験中に前記複数の回線の内少なくとも１つに回線障害が発生するとサブキャリア割当の変動を行った前記回線のサブキャリアの使用を停止する停止手段と、を有することを特徴とする回線による帯域制御方式。
【請求項２】
複数の装置との間で複数の回線を束ねたケーブルで接続する手段と、前記複数の装置との間で前記回線上をマルチサブキャリアで信号のやり取りを行う手段とを有する回線によるオーバラップ制御方式であって、
第１の前記回線の内下り回線のサブキャリアと上り回線のサブキャリアとがオーバラップするサブキャリアの試験を行う試験手段と、
前記試験手段による試験中に第２の前記回線に障害が発生すると試験を行った前記第１の回線のサブキャリアの使用を停止する停止手段と、を有することを特徴とする回線によるオーバラップ制御方式。
【請求項３】
前記試験手段は、前記指定されたサブキャリアを試験する場合、障害が発生する毎に前記指定されたサブキャリア内に割り当てられた最大のビット幅から順に１ビットずつ減らしながら障害が発生しなくなるまで、または最小の１ビットになるまで試験を行う手段を有することを特徴とする請求項２記載の回線によるオーバラップ制御方式。
【請求項４】
局舎側の複数のＤＳＬＡＭと複数の端末側の装置とを接続する複数の回線を束ねたケーブルを備え、
前記ＤＳＬＡＭと前記端末側の装置との間で前記回線上をマルチサブキャリアで信号のやり取りを行う手段を有する回線によるオーバラップ制御方式であって、
前記ＤＳＬＡＭに対して前記回線のオーバラップさせるサブキャリアの試験開始の指示を行う指示手段を有する管理装置を備え、
前記ＤＳＬＡＭは、前記指示手段により試験開始の指示を受けるとその指定された回線のサブキャリアの試験を行う試験手段と、
前記試験手段による試験中に前記指定された回線を除く回線の障害を検出するとその検出した回線の障害を前記管理装置に通知する通知手段と、
前記指定された回線のサブキャリアの使用不許可の指示を受けると前記指定された回線のサブキャリアの使用を停止する停止手段と、を有し、
前記管理装置は、前記通知手段により前記指定された回線のサブキャリアを使用不許可にするように前記試験を行ったＤＳＬＡＭに指示を行う不許可指示手段を有することを特徴とする回線によるオーバラップ制御方式。
【請求項５】
前記試験手段は、前記指定されたサブキャリアを試験する場合に指定されたビット幅で試験する手段を有し、前記指示手段は、前記通知手段により通知があると１ビットの試験中でなければ、現在試験中のビット幅から１ビット減らしたビット幅で前記指定された回線のサブキャリアに対して指示を行う手段を有することを特徴とする請求項４記載の回線によるオーバラップ制御方式。
【請求項６】
複数の端末側の装置との間で接続されたケーブル内に束ねられた回線上をマルチサブキャリアで信号のやり取りを行うＤＳＬＡＭに対して制御を行うネットワーク管理装置であって、
指定した前記回線で上りと下りがオーバラップするサブキャリアの試験を前記ＤＳＬＡＭに行わせる試験手段と、
前記試験手段による試験中に前記複数のＤＳＬＡＭの少なくとも１台から前記指定したＡＤＳＬ回線を除く前記回線の障害通知を受信すると前記指定した回線のサブキャリアの使用を停止する停止手段と、を有することを特徴とするネットワーク管理装置。
【請求項７】
局舎側の装置と複数の端末側の装置とを複数の回線を束ねたケーブルで接続し、前記局舎側の装置と前記端末側の装置との間で前記回線上をマルチサブキャリアで信号のやり取りを行う回線によるオーバラップ制御方法であって、
第１の前記回線の内下り回線のサブキャリアと上り回線のキャリアとがオーバラップするサブキャリアの試験を行うステップと、
前記試験中に第２の前記回線に障害が発生すると試験を行った前記第１の回線のサブキャリアの使用を停止するステップと、を含むことを特徴とする回線によるオーバラップ制御方法。
【請求項８】
前記指定されたサブキャリアを試験する場合、障害が発生する毎に前記指定されたサブキャリア内に割り当てられた最大のビット幅から順に１ビットずつ減らしながら障害が発生しなくなるまで、または最小の１ビットになるまで試験を行うステップを含むことを特徴とする請求項７記載の回線によるオーバラップ制御方法。
【請求項９】
局舎側の複数のＤＳＬＡＭと複数の端末側の装置とを接続する複数の回線を束ねたケーブルを備え、前記ＤＳＬＡＭと前記端末側の装置との間で前記回線上をマルチサブキャリアで信号のやり取りを行う回線によるオーバラップ制御方法であって、
前記複数のＤＳＬＡＭに対して前記回線のサブキャリアの制御を行う管理装置を備え、
前記管理装置が、前記ＤＳＬＡＭに対して前記回線のオーバラップさせるサブキャリアの試験開始の指示を行うステップと、
前記ＤＳＬＡＭが、前記試験開始の指示を受けるとその指定された回線のサブキャリアの試験を行うステップと、
前記ＤＳＬＡＭが、前記試験中に前記指定された回線を除く回線の障害を検出するとその検出した回線の障害を前記管理装置に通知するステップと、
前記管理装置が、前記通知により前記指定された回線のサブキャリアを使用不許可にするように前記試験を行ったＤＳＬＡＭに指示を行うステップと、
前記ＤＳＬＡＭが、前記指定された回線のサブキャリアの使用不許可の指示を受けると前記指定された回線のサブキャリアの使用を停止するステップと、を含むことを特徴とする回線によるオーバラップ制御方法。
【請求項１０】
前記ＤＳＬＡＭが、前記指定されたサブキャリアを試験する場合に指定されたビット幅で試験するステップと、
前記管理装置が、前記通知があると１ビットの試験中でなければ、現在試験中のビット幅から１ビット減らしたビット幅で前記指定された回線のサブキャリアに対して指示を行うステップと、を含むことを特徴とする請求項８記載の回線によるオーバラップ制御方法。
【請求項１１】
複数の装置との間で複数の回線を束ねたケーブルで接続する手段と、前記複数の装置との間で前記回線上をマルチサブキャリアで信号のやり取りを行う手段とを有する回線による帯域制御方式であって、
前記複数の回線の内の回線の下り信号のサブキャリアを上り信号に帯域増分したサブキャリアとして使用する場合に前記帯域増分したサブキャリアの試験を行う試験手段と、
前記試験手段による試験中に前記複数の回線の内少なくとも１つの回線に障害が発生すると前記複数の回線の内の回線の上り信号に帯域増分した試験中のサブキャリアの使用を停止する停止手段と、
を有することを特徴とする回線による帯域制御方式。
【請求項１２】
前記試験手段は、前記帯域増分したサブキャリアを試験する場合に前記帯域増分したサブキャリアのサブキャリア番号毎に指示されたビット幅で試験する手段を有することを特徴とする請求項１１記載の回線による帯域制御方式。
【請求項１３】
前記試験手段は、前記帯域増分したサブキャリアを試験する場合、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行う手段を有することを特徴とする請求項１１記載の回線による帯域制御方式。
【請求項１４】
局舎側の複数のＤＳＬＡＭと複数の端末側の装置とを接続する複数の回線を束ねたケーブルを備え、前記ＤＳＬＡＭと前記端末側の装置との間で前記回線上をマルチサブキャリアで信号のやり取りを行う手段を有する回線による帯域制御方式であって、
前記ＤＳＬＡＭに対して前記回線の上り信号に帯域増分したサブキャリアの試験開始の指示を行う指示手段を有する管理装置を備え、
前記ＤＳＬＡＭは、前記指示手段により試験開始の指示を受けるとその指示された回線の上り信号に帯域増分したサブキャリアの試験を前記端末側の装置との間で行う第１の試験手段と、
前記試験手段による試験中に前記複数の回線の内少なくとも１つの第１の回線障害を検出するとその検出した第１の回線障害を前記管理装置に通知する第１の通知手段と、
前記指示された回線のサブキャリアの使用不許可の指示を受けると前記指示された回線の上り信号に帯域増分した試験中のサブキャリアの使用を停止する第１の停止手段と、を有し、
前記管理装置は、前記第１の回線障害を受けると前記指示された回線の上り信号に前記帯域増分した試験中のサブキャリアを使用不許可にするように前記試験を行ったＤＳＬＡＭに指示を行う不許可指示手段を有することを特徴とする回線による帯域制御方式。
【請求項１５】
前記第１の試験手段は、前記指示手段により試験開始の指示を受けるとその指示された回線の上り信号のサブキャリアの試験を前記指示された回線の接続先の端末側の装置にサブキャリアの試験開始の指示を行うことで前記指示された回線の上り信号に帯域増分したサブキャリアの試験を前記端末側の装置との間で行う手段と、
前記第１の停止手段は、前記指示された回線のサブキャリアの使用不許可の指示を受けると前記指示された回線の上り信号に帯域増分した試験中のサブキャリアの使用を停止するように前記端末側の端末に指示を行う手段と、を有することを特徴とする請求項１４記載の回線による帯域制御方式。
【請求項１６】
前記ＤＳＬＡＭは、前記指示手段により試験開始の指示を受けると上り信号に帯域増分したサブキャリアに伴う下り信号の帯域試験を前記端末側の装置との間で行う第３の試験手段と、
前記第３の試験手段による試験中に前記複数の回線の内少なくとも１つの第２の回線障害を検出するとその検出した第２の回線障害を前記管理装置に通知する第２の通知手段と、を有し、
前記管理装置は、前記第２の回線障害の通知を受けると前記指示された回線の上り信号に前記帯域増分した試験中のサブキャリアを使用不許可にするように前記前記指示された回線の上り信号に帯域増分したＤＳＬＡＭに指示を行う第２の不許可指示手段を有することを特徴とする請求項１４または１５記載の回線による帯域制御方式。
【請求項１７】
前記端末側の装置は、前記サブキャリアの試験の開始の指示を前記ＤＳＬＡＭから受けるとその指示された回線の上り信号に帯域増分したサブキャリアの試験を前記ＡＤＳＬとの間で行う第２の試験手段と、
前記指示された回線の上り信号に帯域増分した試験中のサブキャリアの使用不許可の指示を前記ＤＳＬＡＭから受けると前記指示された回線の上り信号に帯域増分したサブキャリアの使用を停止する第２の停止手段と、を有することを特徴とする請求項１５記載の回線による帯域制御方式。
【請求項１８】
前記第２の試験手段は、前記指示されたサブキャリアを試験する場合に前記帯域増分したサブキャリアのサブキャリア番号毎に指示されたビット幅で試験する手段を有することを特徴とする請求項１７記載の回線による帯域制御方式。
【請求項１９】
前記第２の試験手段は、前記指示されたサブキャリアを試験する場合に、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行う手段を有することを特徴とする請求項１７記載の回線による帯域制御方式。
【請求項２０】
複数の端末側の装置との間で接続されたケーブル内に束ねられた回線上をマルチサブキャリアで信号のやり取りを行うＤＳＬＡＭに対して制御を行うネットワーク管理装置であって、
指示した前記回線で下り信号のサブキャリアを上り信号に帯域増分したサブキャリアとして使用する場合に前記帯域増分したサブキャリアの試験を前記ＤＳＬＡＭに行わせる試験手段と、
前記試験手段による試験中に前記複数のＤＳＬＡＭの内少なくとも１台から前記回線の障害通知を受信すると前記指示した回線の上り信号に帯域増分した試験中のサブキャリアの使用を停止する停止手段と、を有することを特徴とするネットワーク管理装置。
【請求項２１】
ＤＳＬＡＭとの間で接続されたケーブル内に束ねられた回線上をマルチサブキャリアで信号のやり取りを行う端末側の装置であって、
前記回線で下り信号のサブキャリアを上り信号に帯域増分したサブキャリアとして使用する場合に前記ＤＳＬＡＭからの指示により前記帯域増分したサブキャリアの試験を前記ＤＳＬＡＭとの間で行う試験手段と、
前記試験手段による試験中に前記ＤＳＬＡＭから前記回線の上り信号に帯域増分した試験中のサブキャリアの使用の停止を受けるとそのサブキャリアの使用を停止する停止手段と、を有することを特徴とする端末側の装置。
【請求項２２】
前記試験手段は、前記指示されたサブキャリアを試験する場合に前記帯域増分したサブキャリアのサブキャリア番号毎に指示されたビット幅で試験する手段を有することを特徴とする請求項２１記載の端末側の装置。
【請求項２３】
前記試験手段は、前記指示されたサブキャリアを試験する場合に前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行う手段を有することを特徴とする請求項２０記載の端末側の装置。
【請求項２４】
局舎側の装置と複数の端末側の装置とを複数の回線を束ねたケーブルで接続し、前記局舎側の装置と前記端末側の装置との間で前記回線上をマルチサブキャリアで信号のやり取りを行う回線による帯域制御方法であって、
第１の前記回線の内下り信号のサブキャリアを上り信号に帯域増分したキャリアとして使用する場合に前記帯域増分したサブキャリアの試験を行うステップと、
前記試験中に第２の前記回線に障害が発生すると試験を行った前記第１の回線の上り信号に帯域増分した試験中のサブキャリアの使用を停止するステップと、を含むことを特徴とする回線による帯域制御方法。
【請求項２５】
前記帯域増分したサブキャリアを試験する場合に前記帯域増分したサブキャリアのサブキャリア番号毎に指示されたビット幅で試験するステップを含むことを特徴とする請求項２４記載の回線による帯域制御方法。
【請求項２６】
前記帯域増分したサブキャリアを試験する場合、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行うステップを含むことを特徴とする請求項２４記載の回線による帯域制御方法。
【請求項２７】
局舎側の複数のＤＳＬＡＭと複数の端末側の装置とを接続する複数の回線を束ねたケーブルを備え、前記ＤＳＬＡＭと前記端末側の装置との間で前記回線上をマルチサブキャリアで信号のやり取りを行う回線による帯域制御方法であって、
前記複数のＤＳＬＡＭに対して前記回線の上り信号に帯域増分したサブキャリアの制御を行う管理装置を備え、
前記管理装置が、前記ＤＳＬＡＭに対して前記回線で下り信号のサブキャリアを上り信号に帯域増分したサブキャリアとして使用する場合に前記帯域増分したサブキャリアの試験開始の指示を行うステップと、
前記ＤＳＬＡＭが、前記試験開始の指示を受けるとその指示された回線の上り信号に帯域増分したサブキャリアの試験を前記端末側装置との間で行うステップと、
前記ＤＳＬＡＭが、前記試験中に前記複数の回線の内少なくとも１つの第１の回線障害を検出するとその検出した第１の回線障害を前記管理装置に通知するステップと、
前記管理装置が、前記第１の回線障害の通知を受けると前記指示された回線の上り信号に前記帯域増分した試験中のサブキャリアを使用不許可にするように前記試験を行ったＤＳＬＡＭに指示を行うステップと、
前記ＤＳＬＡＭが、前記指示された回線のサブキャリアの使用不許可の指示を受けると前記指示された回線で前記帯域増分した試験中のサブキャリアの使用を停止するステップと、
を含むことを特徴とする回線による帯域制御方法。
【請求項２８】
前記ＤＳＬＡＭが、前記試験開始の指示を受けるとその指示された回線の上り信号のサブキャリアの試験を前記指示された回線の接続先の端末側の装置にサブキャリアの試験開始の指示を行うことで前記指示された回線の上り信号に帯域増分したサブキャリアの試験を前記端末側の装置との間で行うステップと、
前記ＤＳＬＡＭが、前記指示された回線のサブキャリアの使用不許可の指示を受けると前記指示された回線の上り信号に帯域増分した使用中のサブキャリアの使用を停止するように前記端末側の端末に指示を行うステップと、を含むことを特徴とする請求項２７記載の回線による帯域制御方法。
【請求項２９】
前記ＤＳＬＡＭが、前記指示手段により試験開始の指示を受けると上り信号に帯域増分したサブキャリアに伴う下り信号の帯域試験を前記端末側の装置との間で行うステップと、
前記ＤＳＬＡＭが、前記下り信号の帯域試験中に、前記複数の回線の内少なくとも１つの第２の回線障害を検出するとその検出した第２の回線障害を前記管理装置に通知するステップと、
前記管理装置が、前記下り信号の帯域試験中に前記第２の回線障害を受信すると前記指示された回線の上り信号に前記帯域増分した試験中のサブキャリアを使用不許可にするように前記前記指示された回線の上り信号に帯域増分したＤＳＬＡＭに指示を行うステップと、を含むことを特徴とする請求項２７または２８記載の回線による帯域制御方法。
【請求項３０】
前記端末側の装置が、前記サブキャリアの試験の開始の指示を前記ＤＳＬＡＭから受けるとその指示された回線の上り信号に帯域増分したサブキャリアの試験を前記ＡＤＳＬとの間で行うステップと、
前記端末側の装置が、前記指示された回線の上り信号に帯域増分したサブキャリアの使用不許可の指示を前記ＤＳＬＡＭから受けると前記指示された回線の上り信号に帯域増分したサブキャリアの使用を停止するステップと、を含むことを特徴とする請求項２８記載の回線による帯域制御方法。
【請求項３１】
前記端末側の装置が、前記指示された回線の上り信号に帯域増分したサブキャリアを試験する場合に前記帯域増分したサブキャリアのサブキャリア番号毎に指示されたビット幅で試験するステップを含むことを特徴とする請求項３０記載の回線による帯域制御方法。
【請求項３２】
前記端末側の装置が、前記指示されたサブキャリアを試験する場合、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行うステップを含むことを特徴とする請求項３０記載の回線による帯域制御方法。
【発明の詳細な説明】
【技術分野】
【０００１】
本発明は、回線を利用した回線によるオーバラップ制御方式および方法、並びにネットワーク管理装置に関し、特に他回線への影響を考慮しながら通信制御ができるＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の回線による帯域制御方式および方法、オーバラップ制御方式および方法、ネットワーク管理装置、並びに端末側の装置に関する。
【背景技術】
【０００２】
従来、サブキャリアの妨害に関するＡＤＳＬシステムとして、例えば、特開２００２−２９０３６１に開示されている。この特開２００２−２９０３６１に記載されている構成の簡略化したものを図２４に示す。
【０００３】
図２４に記載された構成図では、電話局側と端末側とが回線ケーブル３で接続されている。電話局側は、伝送装置内のＡＤＳＬ局側装置８１と、同じく伝送装置内の制御手段８３とから構成されている。端末側は、複数のＡＤＳＬ端末側装値８２と、ＡＤＳＬ端末側装置８２に接続されたパソコンであるＰＣ８４とから構成されている。更に、図２４は、ＡＤＳＬ局側装置８１とＡＤＳＬ端末側装置８２とを接続する回線ケーブル３とから構成されている。回線ケーブル３は、複数の電話線９２１を含んでいる。なお、局舎側および端末側にそれぞれ設置され、ＡＤＳＬ回線９０２の信号との間で電話信号とＡＤＳＬ信号との合成または分離を行うスプリッタは、省略している。
【０００４】
一方、ＩＴＵ−Ｔ（国際電気通信連合）によって標準化されたＧ．９９２．１によるＡＤＳＬの電力分布図を図２５に示す。すなわち、上りＡＤＳＬ信号は２６ｋＨｚから１３８ｋＨｚの帯域を使用し、下りＡＤＳＬ信号は１３８ｋＨｚから１１０４ｋＨｚの帯域を使用する。このマルチキャリアを用いた変調方式では、約４．３ｋＨｚおきの約２５０個のサブキャリアが存在する。各サブキャリアは、４ｋＨｚの帯域を持ち、予め定義された最大ビット（例えば、１５ビット）のデータ幅に割り当てられているため、１５ビット長のデータを乗せることが可能である。
【０００５】
次に、特開２００２−２９０３６１に記載された特徴点について図２４を参照して説明する。すなわち、予め、線路データベースに登録されている受信妨害に関する情報に基づいて、制御手段８２が、初期設定時またはリセット時に中波放送波の受信妨害を与えると予想される電話線９２１とサブキャリア１３５番〜１３９番とを指示情報に含めて、ＡＤＳＬ局側装置８１に送出する。すると、ＡＤＳＬ局側装置８１は、指示のあった電話線の４個のサブキャリアを使用停止にする。
【０００６】
【特許文献１】特開２００２−２９０３６１
【発明の開示】
【発明が解決しようとする課題】
【０００７】
特開２００２−２９０３６１号公報によれば、この特開２００２−２９０３６１号公報の発明の主旨は、ＡＤＳＬ信号の特定のキャリアが中波放送に受信妨害を当てることを前提としている。しかし、ＡＤＳＬの高速化と長距離化のために、低い周波数帯域を下りデータ通信にも利用する技術（このような技術をオーバラップと呼ぶ）または上りＡＤＳＬ信号の周波数帯域を拡張して下りＡＤＳＬが使用している周波数帯域を利用する技術がＡＤＳＬ回線に取り入れられるようになっている。従って、特開２００２−２９０３６１号公報での同一カッド（回線に使用しているケーブル中に一緒に寄り合わせた束）内において、オーバラップを使用した場合または上りＡＤＳＬ信号の周波数帯域を拡張して下りＡＤＳＬが使用している周波数帯域を使用した場合、回線に使用しているケーブル中のＡＤＳＬ回線どうしで漏話が発生する。特に、特開２００２−２９０３６１号公報記載の発明では、同一カッドの漏話が強いため、同一カッドにあるＡＤＳＬ回線に通信障害などの影響を与えてしまう場合があり得るという問題点がある。
【０００８】
また、実回線の漏話は、各回線、各ケーブルに複雑な要因が有り、擬似的にシミュレーションする事が難しいため、上記の従来技術にはこのケーブル中のＡＤＳＬ回線どうしの漏話の取り締まりが難しいという問題点がある。
【０００９】
本発明の目的は、上記問題点に鑑み、同一カッドに使用されているＡＤＳＬ回線を含む回線に影響を与えないように、事前に、同一カッド内で上り回線のサブキャリアと下り回線のサブキャリアとで重なる部分のサブキャリアが使用できる回線の確保を行う回線による帯域制御方式および方法、回線によるオーバラップ制御方式および方法、ネットワーク管理装置、並びに端末側の装置を提供することにある。
【課題を解決するための手段】
【００１０】
上記目的を達成するために、本発明の第１の回線による帯域制御方式は、複数の装置との間で複数の回線を束ねたケーブルで接続する手段と、前記複数の装置との間で前記回線上をマルチサブキャリアで信号のやり取りを行う手段とを有する回線による帯域制御方式であって、前記複数のケーブルの内ある前記回線上の上り回線と下り回線のサブキャリアの割当を変動させて前記ケーブル内で混在した場合に、前記ケーブル内で下り回線のサブキャリアと上り回線のサブキャリアとが重なる部分のサブキャリアの試験を行う試験手段と、前記試験手段による試験中に前記複数の回線の内少なくとも１つに回線障害が発生するとサブキャリア割当の変動を行った前記回線のサブキャリアの使用を停止する停止手段と、を有することを特徴としている。
【００１１】
また、本発明の第１の回線によるオーバラップ制御方式は、複数の装置との間で複数の回線を束ねたケーブルで接続する手段と、前記複数の装置との間で前記回線上をマルチサブキャリアで信号のやり取りを行う手段とを有する回線によるオーバラップ制御方式であって、第１の前記回線の内下り回線のサブキャリアと上り回線のキャリアとがオーバラップするサブキャリアの試験を行う試験手段と、前記試験手段による試験中に第２の前記回線に障害が発生すると試験を行った前記第１の回線のサブキャリアの使用を停止する停止手段と、を有することを特徴としている。
【００１２】
更に、上記の第１の回線によるオーバラップ制御方式において、前記試験手段は、前記指定されたサブキャリアを試験する場合、障害が発生する毎に前記指定されたサブキャリア内に割り当てられた最大のビット幅から順に１ビットずつ減らしながら障害が発生しなくなるまで、または最小の１ビットになるまで試験を行う手段を有することを特徴としている。
【００１３】
また、本発明の第２の回線によるオーバラップ制御方式は、局舎側の複数のＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）と複数の装置との間を接続する複数の回線を束ねたケーブルを備え、前記ＤＳＬＡＭと前記端末側の装置との間で前記回線上をマルチサブキャリアで信号のやり取りを行う手段を有する回線によるオーバラップ制御方式であって、前記ＤＳＬＡＭに対して前記回線のオーバラップさせるサブキャリアの試験開始の指示を行う指示手段を有する管理装置を備え、前記ＤＳＬＡＭは、前記指示手段により試験開始の指示を受けるとその指定された回線のサブキャリアの試験を行う試験手段と、前記試験手段による試験中に前記指定された回線を除く回線の障害を検出するとその検出した回線の障害を前記管理装置に通知する通知手段と、前記指定された回線のサブキャリアの使用不許可の指示を受けると前記指定された回線のサブキャリアの使用を停止する停止手段と、を有し、前記管理装置は、前記通知手段により前記指定された回線のサブキャリアを使用不許可にするように前記試験を行ったＤＳＬＡＭに指示を行う不許可指示手段を有することを特徴としている。
【００１４】
更に、上記の第２の回線によるオーバラップ制御方式において、前記試験手段は、前記指定されたサブキャリアを試験する場合に指定されたビット幅で試験する手段を有し、前記指示手段は、前記通知手段により通知があると１ビットの試験中でなければ、現在試験中のビット幅から１ビット減らしたビット幅で前記指定された回線のサブキャリアに対して指示を行う手段を有することを特徴としている。
【００１５】
また、本発明の第１のネットワーク管理装置は、複数の端末側の装置との間で接続されたケーブル内に束ねられた回線上をマルチサブキャリアで信号のやり取りを行うＤＳＬＡＭに対して制御を行うネットワーク管理装置であって、指定した前記回線で上りと下りがオーバラップするサブキャリアの試験を前記ＤＳＬＡＭに行わせる試験手段と、前記試験手段による試験中に前記複数のＤＳＬＡＭの少なくとも１台から前記指定した回線を除く前記回線の障害通知を受信すると前記指定した回線のサブキャリアの使用を停止する停止手段と、を有することを特徴としている。
【００１６】
また、本発明の第１の回線によるオーバラップ制御方法は、局舎側の装置と複数の端末側の装置とを複数の回線を束ねたケーブルで接続し、前記局舎側の装置と前記端末側の装置との間で前記回線上をマルチサブキャリアで信号のやり取りを行う回線によるオーバラップ制御方法であって、第１の前記回線の内下り回線のサブキャリアと上り回線のキャリアとがオーバラップするサブキャリアの試験を行うステップと、前記試験中に第２の前記回線に障害が発生すると試験を行った前記第１の回線のサブキャリアの使用を停止するステップと、を含むことを特徴としている。
【００１７】
更に、上記の第１の回線によるオーバラップ制御方法において、前記指定されたサブキャリアを試験する場合、障害が発生する毎に前記指定されたサブキャリア内に割り当てられた最大のビット幅から順に１ビットずつ減らしながら障害が発生しなくなるまで、または最小の１ビットになるまで試験を行うステップを含むことを特徴としている。
【００１８】
また、本発明の第２の回線によるオーバラップ制御方法は、局舎側の複数のＤＳＬＡＭと複数の端末側の装置とを接続する複数の回線を束ねたケーブルを備え、前記ＤＳＬＡＭと前記端末側の装置との間で前記回線上をマルチサブキャリアで信号のやり取りを行う回線によるオーバラップ制御方法であって、前記複数のＤＳＬＡＭに対して前記回線のサブキャリアの制御を行う管理装置を備え、前記管理装置が、前記ＤＳＬＡＭに対して前記回線のオーバラップさせるサブキャリアの試験開始の指示を行うステップと、前記ＤＳＬＡＭが、前記試験開始の指示を受けるとその指定された回線のサブキャリアの試験を行うステップと、前記ＤＳＬＡＭが、前記試験中に前記指定された回線を除く回線の障害を検出するとその検出した回線の障害を前記管理装置に通知するステップと、前記管理装置が、前記通知により前記指定された回線のサブキャリアを使用不許可にするように前記試験を行ったＤＳＬＡＭに指示を行うステップと、前記ＤＳＬＡＭが、前記指定された回線のサブキャリアの使用不許可の指示を受けると前記指定された回線のサブキャリアの使用を停止するステップと、を含むことを特徴としている。
【００１９】
更に、上記の第２の回線によるオーバラップ制御方法において、前記ＤＳＬＡＭが、前記指定されたサブキャリアを試験する場合に指定されたビット幅で試験するステップと、前記管理装置が、前記通知があると１ビットの試験中でなければ、現在試験中のビット幅から１ビット減らしたビット幅で前記指定された回線のサブキャリアに対して指示を行うステップと、を含むことを特徴としている。
【００２０】
また、本発明の第２の回線による帯域制御方式は、複数の装置との間で複数の回線を束ねたケーブルで接続する手段と、前記複数の装置との間で前記回線上をマルチサブキャリアで信号のやり取りを行う手段とを有する回線による帯域制御方式であって、前記複数の回線の内の回線の下り信号のサブキャリアを上り信号に帯域増分したサブキャリアとして使用する場合に前記帯域増分したサブキャリアの試験を行う試験手段と、前記試験手段による試験中に前記複数の回線の内少なくとも１つの回線に障害が発生すると前記複数の回線の内の回線の上り信号に帯域増分した試験中のサブキャリアの使用を停止する停止手段と、を有することを特徴している。
【００２１】
更に、上記の第２の帯域制御方式において、前記試験手段は、前記帯域増分したサブキャリアを試験する場合に前記帯域増分したサブキャリアのサブキャリア番号毎に指示されたビット幅で試験する手段を有することを特徴としている。
【００２２】
更に、上記の第２の帯域制御方式において、前記試験手段は、前記帯域増分したサブキャリアを試験する場合、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行う手段を有することを特徴としている。
【００２３】
また、本発明の第３の回線による帯域制御方式は、局舎側の複数のＤＳＬＡＭと複数の端末側の装置とを接続する複数の回線を束ねたケーブルを備え、前記ＤＳＬＡＭと前記端末側の装置との間で前記回線上をマルチサブキャリアで信号のやり取りを行う手段を有する回線による帯域制御方式であって、前記ＤＳＬＡＭに対して前記回線の上り信号に帯域増分したサブキャリアの試験開始の指示を行う指示手段を有する管理装置を備え、前記ＤＳＬＡＭは、前記指示手段により試験開始の指示を受けるとその指示された回線の上り信号に帯域増分したサブキャリアの試験を前記端末側の装置との間で行う第１の試験手段と、前記試験手段による試験中に前記複数の回線の内少なくとも１つの第１の回線障害を検出するとその検出した第１の回線障害を前記管理装置に通知する第１の通知手段と、前記指示された回線のサブキャリアの使用不許可の指示を受けると前記指示された回線の上り信号に帯域増分した試験中のサブキャリアの使用を停止する第１の停止手段と、を有し、前記管理装置は、前記第１の回線障害を受けると前記指示された回線の上り信号に前記帯域増分した試験中のサブキャリアを使用不許可にするように前記試験を行ったＤＳＬＡＭに指示を行う不許可指示手段を有することを特徴としている。
【００２４】
更に、上記の第３の回線による帯域制御方式において、前記第１の試験手段は、前記指示手段により試験開始の指示を受けるとその指示された回線の上り信号のサブキャリアの試験を前記指示された回線の接続先の端末側の装置にサブキャリアの試験開始の指示を行うことで前記指示された回線の上り信号に帯域増分したサブキャリアの試験を前記端末側の装置との間で行う手段と、前記第１の停止手段は、前記指示された回線のサブキャリアの使用不許可の指示を受けると前記指示された回線の上り信号に帯域増分した試験中のサブキャリアの使用を停止するように前記端末側の端末に指示を行う手段と、を有することを特徴としている。
【００２５】
更に、上記の第３の回線による帯域制御方式において、前記ＤＳＬＡＭは、前記指示手段により試験開始の指示を受けると上り信号に帯域増分したサブキャリアに伴う下り信号の帯域試験を前記端末側の装置との間で行う第３の試験手段と、前記第３の試験手段による試験中に前記複数の回線の内少なくとも１つの第２の回線障害を検出するとその検出した第２の回線障害を前記管理装置に通知する第２の通知手段と、を有し、前記管理装置は、前記第２の回線障害の通知を受けると前記指示された回線の上り信号に前記帯域増分した試験中のサブキャリアを使用不許可にするように前記前記指示された回線の上り信号に帯域増分したＤＳＬＡＭに指示を行う第２の不許可指示手段を有することを特徴としている。
【００２６】
更に、上記の第３の回線による帯域制御方式において、前記端末側の装置は、前記サブキャリアの試験の開始の指示を前記ＤＳＬＡＭから受けるとその指示された回線の上り信号に帯域増分したサブキャリアの試験を前記ＡＤＳＬとの間で行う第２の試験手段と、
前記指示された回線の上り信号に帯域増分した試験中のサブキャリアの使用不許可の指示を前記ＤＳＬＡＭから受けると前記指示された回線の上り信号に帯域増分したサブキャリアの使用を停止する第２の停止手段と、を有することを特徴としている。
【００２７】
更に、上記の第３の回線による帯域制御方式において、前記第２の試験手段は、前記指示されたサブキャリアを試験する場合に前記帯域増分したサブキャリアのサブキャリア番号毎に指示されたビット幅で試験する手段を有することを特徴としている。
【００２８】
更に、上記の第３の回線による帯域制御方式において、前記第２の試験手段は、前記指示されたサブキャリアを試験する場合に、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行う手段を有することを特徴としている。
【００２９】
また、本発明の第２のネットワーク管理装置は、複数の端末側の装置との間で接続されたケーブル内に束ねられた回線上をマルチサブキャリアで信号のやり取りを行うＤＳＬＡＭに対して制御を行うネットワーク管理装置であって、指示した前記回線で下り信号のサブキャリアを上り信号に帯域増分したサブキャリアとして使用する場合に前記帯域増分したサブキャリアの試験を前記ＤＳＬＡＭに行わせる試験手段と、前記試験手段による試験中に前記複数のＤＳＬＡＭの内少なくとも１台から前記回線の障害通知を受信すると前記指示した回線の上り信号に帯域増分した試験中のサブキャリアの使用を停止する停止手段と、を有することを特徴としている。
【００３０】
また、本発明の端末側の装置は、ＤＳＬＡＭとの間で接続されたケーブル内に束ねられた回線上をマルチサブキャリアで信号のやり取りを行う端末側の装置であって、前記回線で下り信号のサブキャリアを上り信号に帯域増分したサブキャリアとして使用する場合に前記ＤＳＬＡＭからの指示により前記帯域増分したサブキャリアの試験を前記ＤＳＬＡＭとの間で行う試験手段と、前記試験手段による試験中に前記ＤＳＬＡＭから前記回線の上り信号に帯域増分した試験中のサブキャリアの使用の停止を受けるとそのサブキャリアの使用を停止する停止手段と、を有することを特徴としている。
【００３１】
更に、上記の端末側の装置において、前記試験手段は、前記指示されたサブキャリアを試験する場合に前記帯域増分したサブキャリアのサブキャリア番号毎に指示されたビット幅で試験する手段を有することを特徴としている。
【００３２】
更に、上記の端末側の装置において、前記試験手段は、前記指示されたサブキャリアを試験する場合に前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行う手段を有することを特徴としている。
【００３３】
また、本発明の第１の回線による帯域制御方法は、局舎側の装置と複数の端末側の装置とを複数の回線を束ねたケーブルで接続し、前記局舎側の装置と前記端末側の装置との間で前記回線上をマルチサブキャリアで信号のやり取りを行う回線による帯域制御方法であって、第１の前記回線の内下り信号のサブキャリアを上り信号に帯域増分したキャリアとして使用する場合に前記帯域増分したサブキャリアの試験を行うステップと、前記試験中に第２の前記回線に障害が発生すると試験を行った前記第１の回線の上り信号に帯域増分した試験中のサブキャリアの使用を停止するステップと、を含むことを特徴としている。
【００３４】
更に、上記の第１の回線による地域制御方法において、前記帯域増分したサブキャリアを試験する場合に前記帯域増分したサブキャリアのサブキャリア番号毎に指示されたビット幅で試験するステップを含むことを特徴としている。
【００３５】
更に、上記の第１の回線による地域制御方法において、前記帯域増分したサブキャリアを試験する場合、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行うステップを含むことを特徴としている。
【００３６】
また、本発明の第２の回線による帯域制御方法は、局舎側の複数のＤＳＬＡＭと複数の端末側の装置とを接続する複数の回線を束ねたケーブルを備え、前記ＤＳＬＡＭと前記端末側の装置との間で前記回線上をマルチサブキャリアで信号のやり取りを行う回線による帯域制御方法であって、前記複数のＤＳＬＡＭに対して前記回線の上り信号に帯域増分したサブキャリアの制御を行う管理装置を備え、前記管理装置が、前記ＤＳＬＡＭに対して前記回線で下り信号のサブキャリアを上り信号に帯域増分したサブキャリアとして使用する場合に前記帯域増分したサブキャリアの試験開始の指示を行うステップと、前記ＤＳＬＡＭが、前記試験開始の指示を受けるとその指示された回線の上り信号に帯域増分したサブキャリアの試験を前記端末側装置との間で行うステップと、前記ＤＳＬＡＭが、前記試験中に前記複数の回線の内少なくとも１つの第１の回線障害を検出するとその検出した第１の回線障害を前記管理装置に通知するステップと、前記管理装置が、前記第１の回線障害の通知を受けると前記指示された回線の上り信号に前記帯域増分した試験中のサブキャリアを使用不許可にするように前記試験を行ったＤＳＬＡＭに指示を行うステップと、前記ＤＳＬＡＭが、前記指示された回線のサブキャリアの使用不許可の指示を受けると前記指示された回線で前記帯域増分した試験中のサブキャリアの使用を停止するステップと、を含むことを特徴としている。
【００３７】
更に、上記の第２の回線による帯域制御方法において、前記ＤＳＬＡＭが、前記試験開始の指示を受けるとその指示された回線の上り信号のサブキャリアの試験を前記指示された回線の接続先の端末側の装置にサブキャリアの試験開始の指示を行うことで前記指示された回線の上り信号に帯域増分したサブキャリアの試験を前記端末側の装置との間で行うステップと、前記ＤＳＬＡＭが、前記指示された回線のサブキャリアの使用不許可の指示を受けると前記指示された回線の上り信号に帯域増分した使用中のサブキャリアの使用を停止するように前記端末側の端末に指示を行うステップと、を含むことを特徴としている。
【００３８】
更に、上記の第２の回線による帯域制御方法において、前記ＤＳＬＡＭが、前記指示手段により試験開始の指示を受けると上り信号に帯域増分したサブキャリアに伴う下り信号の帯域試験を前記端末側の装置との間で行うステップと、前記ＤＳＬＡＭが、前記下り信号の帯域試験中に、前記複数の回線の内少なくとも１つの第２の回線障害を検出するとその検出した第２の回線障害を前記管理装置に通知するステップと、前記管理装置が、前記下り信号の帯域試験中に前記第２の回線障害を受信すると前記指示された回線の上り信号に前記帯域増分した試験中のサブキャリアを使用不許可にするように前記前記指示された回線の上り信号に帯域増分したＤＳＬＡＭに指示を行うステップと、を含むことを特徴としている。
【００３９】
更に、上記の第２の回線による帯域制御方法において、前記端末側の装置が、前記サブキャリアの試験の開始の指示を前記ＤＳＬＡＭから受けるとその指示された回線の上り信号に帯域増分したサブキャリアの試験を前記ＡＤＳＬとの間で行うステップと、前記端末側の装置が、前記指示された回線の上り信号に帯域増分したサブキャリアの使用不許可の指示を前記ＤＳＬＡＭから受けると前記指示された回線の上り信号に帯域増分したサブキャリアの使用を停止するステップと、を含むことを特徴としている。
【００４０】
更に、上記の第２の回線による帯域制御方法において、前記端末側の装置が、前記指示された回線の上り信号に帯域増分したサブキャリアを試験する場合に前記帯域増分したサブキャリアのサブキャリア番号毎に指示されたビット幅で試験するステップを含むことを特徴としている。
【００４１】
更に、上記の第２の回線による帯域制御方法において、前記端末側の装置が、前記指示されたサブキャリアを試験する場合、前記帯域増分したサブキャリアのサブキャリア番号毎に指示されたビット幅で試験を行い、障害が発生する毎に前記指示されたサブキャリア内に割り当てられた最大のビット幅から順に１ビットずつ減らしながら障害が発生しなくなるまで、または最小の１ビットになるまで試験を行うステップを含むことを特徴としている。
【発明の効果】
【００４２】
上記の本発明は、同一カッド内に使用されているＡＤＳＬ回線に影響を与えないように、事前に、同一カッド内で上り回線のサブキャリアと下り回線のサブキャリアとで重なる部分のサブキャリアが使用できる回線の確保を行うことができるという効果がある。
【００４３】
その理由は、下り回線のサブキャリアと上り回線のキャリアとが重なる部分のサブキャリアの試験を行い、その試験中に回線に障害が発生すると試験を行った回線のサブキャリアの使用を停止するようにしているためである。
【発明を実施するための最良の形態】
【００４４】
次に、発明を実施するための最良の形態について図面を参照して詳細に説明する。
【００４５】
図１を参照すると、図１は、発明を実施するための最良の形態である第１の実施の形態を示すシステム構成図である。すなわち、図１は、局舎側にあるサービス供給装置６と端末側にある端末装置５とを回線ケーブル３により通信接続する場合の構成を示したブロック図である。
【００４６】
すなわち、図１の局舎側は、複数のサービス供給装置６と、複数のＤＳＬＡＭ２と、ＮＭＳ１と、回線状態制御信号線９０１と、局舎側データ信号線９０４とから構成される。図１の端末側は、複数の端末装置５と、ＡＤＳＬモデム４と、端末側データ信号線９０３とから構成される。局舎側と端末側とは、回線ケーブル３で接続されている。その回線ケーブル３は、ＡＤＳＬ回線９０２を含んでいる。なお、ＤＳＬＡＭは、Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒの略称である。このＤＳＬＡＭ２は、複数のＡＤＳＬ回線を束ね、ＡＤＳＬモデム、ルータなどの通信機器と接続して高速・大容量な基幹回線（バックボーン）への橋渡しを行う集線装置のことを言う。また、ＮＭＳは、Ｎｅｔｗｏｒｋ  Ｍａｎａｇｅｍｅｎｔ  Ｓｙｓｔｅｍの略称で、ＤＳＬＡＭ、ＡＤＳＬ回線を含むネットワークを管理するネットワーク管理装置である。
【００４７】
ＮＭＳ１は、図示していないＣＰＵによりプログラム制御で動作する。ＮＭＳ１は、ＤＳＬＡＭ２毎に接続された回線状態制御信号線９０１を介して、ＡＤＳＬ回線９０２のサブキャリアの試験の許可、サブキャリアの使用禁止、状態確認等の制御を行う。
【００４８】
サービス供給装置６は、図示していないＣＰＵによりプログラム制御で動作するサーバ等の装置である。サーバ供給装置６は、局舎側データ信号線９０４より信号を入力し、局舎側データ信号線９０４へ信号を出力する。
【００４９】
ＤＳＬＡＭ２は、局舎側データ信号線９０４からの信号をＡＤＳＬ回線９０２へ出力し、ＡＤＳＬ回線９０２からの信号を局舎側データ信号線９０４へ出力する。更に、ＤＳＬＡＭ２は、ＡＤＳＬ回線９０２の制御内容を回線状態制御信号線９０１へ出力し、回線状態制御信号線９０１からの制御内容をＡＤＳＬ回線９０２へ反映させる。
【００５０】
回線ケーブル３は、局舎側からのＡＤＳＬ回線９０２を端末側へ出力し、端末側からのＡＤＳＬ回線９０２を局舎側へ出力する。
【００５１】
ＡＤＳＬモデム４は、ＡＤＳＬ回線９０２からの信号を端末側データ信号線９０３へ出力し、端末側データ信号線９０３からの信号をＡＤＳＬ回線９０２へ出力する。
【００５２】
端末装置５は、図示していないＣＰＵによりプログラム制御で動作するパソコン等の装置である。端末側データ信号線９０３より信号を入力し、端末側データ信号線９０３へ信号を出力する。
【００５３】
回線状態制御信号線９０１は、ＤＳＬＡＭ２とＡＤＳＬモデム４の間にあるＡＤＳＬ回線９０２にオーバラップさせているサブキャリアを、ＮＭＳ１からの制御により出力制御する。すなわち、本実施の形態は、ＮＭＳ１によるＤＳＬＡＭ２への制御により、オーバラップさせているサブキャリアの出力制御をすることにより本発明の目的を達成することができる。
【００５４】
次にオーバラップ技術の説明をする。
【００５５】
図２にオーバラップの電力分布図を示す。図２のオーバラップの電力分布は、下りＡＤＳＬ信号９０９（後述説明）が１３８ｋＨｚ以下まで有り、上りＡＤＳＬ信号と重なって使用している部分（オーバラップ部分）が有る点で、図１４の従来ＡＤＳＬの電力分布図と相違している。このオーバラップ部分を上りＡＤＳＬ信号と下りＡＤＳＬ信号に分離するためにエコーキャンセラを用いる。
【００５６】
図３を参照すると、図３は、図２におけるサブキャリアの詳細な電力分布を示したサブキャリア電力分布図である。すなわち、図２は、ＡＤＳＬの使用帯域を４ｋＨｚ幅のサブキャリアで分けた図であって、第（ｎ）サブキャリアと第（ｎ＋１）サブキャリアとの関係を示す。ただし、ｎは、１以上の整数である。この場合の第（ｎ）サブキャリアの使用帯域をサブキャリアｎ番と呼ぶ。図２における例では、サブキャリア番号は、１番から２５６番となり、以降の説明では、１〜２５６として説明するが、サブキャリアの取り方は、特に限定しない。
【００５７】
図４を参照すると、ＤＳＬＡＭ２およびＡＤＳＬモデム４は、制御回路２１と、エコーキャンセラ２２と、送信回路２３と、ハイブリッド回路２４と、受信回路２５と、減算回路２６とを有している。更に、ＤＳＬＡＭ２およびＡＤＳＬモデム４は、出力データ信号９０５と、出力データ信号９０６と、エコーキャンセラ信号９０７と、出力ＡＤＳＬ信号９０８と、出力ＡＤＳＬ信号９０９と、エコー消去後入力データ信号９１０と、送信試験データ９１２とを有している。この場合、ＤＳＬＡＭ２が出力ＡＤＳＬ信号９０８をＡＤＳＬ回線９０２に乗せる場合は、上りＡＤＳＬ信号となり、ＡＤＳＬモデムが出力ＡＤＳＬ信号９０８をＡＤＳＬ回線９０２に乗せる場合は、下りＡＤＳＬ信号となる。なお、ＤＳＬＡＭ２−１は図４の構成による回路を２個有し、ＤＳＬＡＭ２−２は図４の構成による回路を１個有している。また、ＤＳＬＡＭ２の場合、入力データ信号９０５とエコーを消去した入力データ信号９０６（エコー消去後入力データ信号９１０）とが、図１の局舎側データ信号線９０４上に乗る。また、ＡＤＳＬモデムの場合、信号９０１の入力はない。また、音声側の回路と、電話信号（音声側で４ｋＨｚ以下の帯域）とＡＤＳＬ信号との合成／分離を行うスプリッタとは、説明の都合上、図４の構成図から省略している。
【００５８】
ＤＳＬＡＭ２の制御回路２１は、ＮＭＳ１からの回線状態信号線９０１によりサブキャリアｘ番（ｘは、１・・・２５６のいずれか）のオーバラップ試験許可を得ると、図示していない記憶部（例えば、メモリ）に予め格納されている試験データを、送信試験データ９１２の指定されたサブキャリアｘ番に載せて、送信回路２３を介して送信することでサブキャリアｘ番の試験を行う。試験中、制御回路２１は、要求のあったＮＭＳ１に対してサブキャリアｘ番が試験中であることを回線状態信号線９０１に出力する。また、ＡＤＳＬ回線９０２を介して送信されたデータの正当性のチェックがＡＤＳＬモデム４で行われ、その結果（この場合、正常であるとＡＣＫ、異常であるとＮＡＣＫがそれぞれ来る）がＡＤＳＬ回線９０２を介してＤＳＬＡＭ２に来ると、ＤＳＬＡＭ２は、異常であれば、受信した試験結果をＮＭＳ１に通知する。
【００５９】
一方、ＤＳＬＡＭ２およびＡＤＳＬモデム４内のエコーキャンセラの動作は以下のように行う。
【００６０】
図４を参照すると、入力される上りデータ信号９０５は、送信回路２３により出力ＡＤＳＬ信号９０８に作成される。更に、作成された出力ＡＤＳＬ信号９０８は、ハイブリッド回路２４によりＡＤＳＬ回線９０２に上りＡＤＳＬ信号として出力される。そしてＡＤＳＬ回線９０２上の入力信号は、ハイブリッド回路２４により入力ＡＤＳＬ信号９０９に作成され、作成された入力信号９０９は、受信回路２５により入力データ信号９０６に作成される。次に出力データ信号９０５は、エコーキャンセラ２２によりエコーキャンセラ信号９０７に作成される。作成されたエコーキャンセラ信号９０７は、減算回路２６により入力データ信号９０６からエコーキャンセラ信号９０７の差分としてエコー除去後入力データ信号９１０に作成される。ここでエコーキャンセラ信号９０７は、ＡＤＳＬ回線９０２が無信号状態の送信回路２３とハイブリッド回路２４と受信回路２５とを通過した上りデータ信号９０５に相当する信号のため、エコー除去後入力データ信号９１０は、減算回路２６により入力ＡＤＳＬ信号９０９からオーバラップ部分を除去した純粋な入力ＡＤＳＬ信号となる。すなわち、ＤＳＬＡＭ２は、オーバラップ部分を除去した上りＡＤＳＬ信号を受信し、ＡＤＳＬモデム４は、オーバラップで部分を除去した下りＡＤＳＬ信号を受信することができる。
【００６１】
次に、シーケンス図を参照して本実施の形態の全体の動作について詳細に説明する。
【００６２】
図６にオーバラップ使用許可時の動作シーケンス図を示す。
【００６３】
まずＮＭＳ１がＡＤＳＬ回線９０２−１のサブキャリアｘ番に対するオーバラップ試験許可をＤＳＬＡＭ２−１へ出力させた場合、ＤＳＬＡＭ２−１は、ＡＤＳＬ回線９０２−１へサブキャリアｘ番の制御を開始し、ＮＭＳ１へ応答（ＡＣＫ信号）を返す。この場合、ＤＳＬＡＭ２−１は、応答を返すと共に、ＡＤＳＬ回線９０２−１のサブキャリアｘ番を試験していることを示す信号を出力する（図６のシーケンスＳ１０１〜Ｓ１０３）。
【００６４】
そしてＮＭＳ１は、一定時間内（例えば、図示していないタイマを起動し、タイマ割込による処理）にＡＤＳＬ回線９０２−２とＡＤＳＬ回線９０２−３とからの障害通知の監視を行う。ＮＭＳ１は、障害通知がない場合にＤＳＬＡＭ２−１へＡＤＳＬ回線９０２−１のサブキャリアｘ番の使用許可を示す信号を回線状態制御信号線９０１に出力する（シーケンスＳ１０４）。
【００６５】
この時、ＤＳＬＡＭ２−１は、ＡＤＳＬ回線９０２−１のサブキャリアｘ番の使用を開始し、ＮＭＳ１へ使用許可信号を受け取った返事（ＡＣＫ信号）を出力する。
【００６６】
図７にオーバラップ使用不許可時（その１）の動作シーケンス図を示す。なお、この場合の図７は、サブキャリアの試験を行っている同じＤＳＬＡＭ２で障害を検出した場合の動作を示す。
【００６７】
まずＮＭＳ１がＡＤＳＬ回線９０２−１のサブキャリアｘ番に対するオーバラップ試験許可をＮＭＳ１からＤＳＬＡＭ２−１へ出力させた場合、ＤＳＬＡＭ２−１は、ＡＤＳＬ回線９０２−１へサブキャリアｘ番の制御を開始し、ＮＭＳ１へＡＤＳＬ回線９０２−１のサブキャリアｘ番を試験していることを示す信号を回線状態制御信号線９０１に出力する（図７のシーケンスＳ１０１〜Ｓ１０３）。
【００６８】
そして、ＮＭＳ１は、一定時間内にＡＤＳＬ回線９０２−２または／およびＡＤＳＬ回線９０２−３からの障害通知の監視を行い、例えばＤＳＬＡＭ２−２からＡＤＳＬ回線９０２−３障害通知を受け取った場合、ＤＳＬＡＭ２−１へＡＤＳＬ回線９０２−１のサブキャリアｘ番の使用不許可を出力する（シーケンスＳ１１１，Ｓ１１２）。
【００６９】
この時、ＤＳＬＡＭ２−１は、ＡＤＳＬ回線９０２−１のサブキャリアｘ番の使用を停止し、ＮＭＳ１へ使用不許可信号を受け取った返事（ＡＣＫ信号）を出力する（シーケンスＳ１１３，Ｓ１１４）。
【００７０】
図８にオーバラップ使用不許可時（その２）の動作シーケンス図を示す。なお、この場合の図８は、サブキャリアの試験を行っている別のＤＳＬＡＭ２で障害を検出した場合の動作を示す。
【００７１】
まずＮＭＳ１がＡＤＳＬ回線９０２−１のサブキャリアｘ番に対するオーバラップ試験許可をＮＭＳ１からＤＳＬＡＭ２−１へ出力させた場合、ＤＳＬＡＭ２−１は、ＡＤＳＬ回線９０２−１へサブキャリアｘ番の制御を開始し、ＮＭＳ１へＡＤＳＬ回線９０２−１のサブキャリアｘ番を試験していることを示す信号を回線状態制御信号線９０１に出力する（図８のシーケンスＳ１０１〜Ｓ１０３）。
【００７２】
そして、ＮＭＳ１は、一定時間内にＡＤＳＬ回線９０２−２または／およびＡＤＳＬ回線９０２−３からの障害通知の監視を行い、例えばＤＳＬＡＭ２−１からＡＤＳＬ回線９０２−２障害通知を受け取った場合、ＤＳＬＡＭ２−１へＡＤＳＬ回線９０２−１のサブキャリアｘ番の使用不許可を示す信号を出力する（シーケンスＳ１２１，Ｓ１２２）。整
この時、ＤＳＬＡＭ２−１は、ＡＤＳＬ回線９０２−１のサブキヤリアｘ番の使用を停止し、ＮＭＳ１へ使用不許可信号を受け取った返事（ＡＣＫ信号）を出力する（シーケンスＳ１２３，Ｓ１２４）。
【００７３】
図９に回線状態制御信号線９０１の通信異常時（その１）の動作シーケンス図を示す。この場合の図９は、ＮＭＳ１からＤＳＬＡＭ２へのサブキャリア使用不許可信号の再送が成功する場合の動作を示す。
【００７４】
まずＮＭＳ１がＡＤＳＬ回線９０２−１のオーバラップ試験許可を、回線状態制御線９０１を介してＤＳＬＡＭ２−１へ出力させた場合、ＤＳＬＡＭ２−１は、ＡＤＳＬ回線１へサブキャリアｘ番の制御を開始する。更に、ＤＳＬＡＭ２−１は、ＮＭＳ１へＡＤＳＬ回線１のサブキャリアｘ番を試験していることを回線状態制御線９０１に出力する（図９のシーケンスＳ１０１〜Ｓ１０３）。
【００７５】
そしてＮＭＳ１は、一定時間内にＡＤＳＬ回線９０２−２または／およびＡＤＳＬ回線９０２−３からの障害通知の監視を行う。監視の結果、ＤＳＬＡＭ２−２からＡＤＳＬ回線９０２−３障害通知を受け取った場合、ＮＭＳ１は、ＤＳＬＡＭ２−１へＡＤＳＬ回線９０２−１のサブキャリア使用不許可を出力する（シーケンスＳ１３１，Ｓ１３２）。
【００７６】
ここで何かしらの障害により、ＡＤＳＬ回線９０２−１のサブキャリア使用不許可信号が消滅した場合、ＮＭＳ１は、本来返ってくるはずの返事（ＡＣＫ信号）を一定時間待つ。一定時間が経過すると、ＮＭＳ１は、再度ＡＤＳＬ回線９０２−１のサブキャリア使用不許可信号を出力する（シーケンスＳ１３３）。
【００７７】
この時、ＤＳＬＡＭ２−１は、ＡＤＳＬ回線９０２−１のサブキャリアｘ番の使用を停止し、ＮＭＳ１へ使用不許可信号を受け取った返事（ＡＣＫ信号）を出力する（シーケンスＳ１３４，Ｓ１３５）。
【００７８】
図１０に回線状態制御信号線９０１の通信異常時（その２）の動作シーケンス図を示す。この場合の図１０は、ＮＭＳ１からＤＳＬＡＭ２へのサブキャリア使用不許可信号の再送が成功しない場合の動作を示す。
【００７９】
まずＮＭＳ１がＡＤＳＬ回線１（図１のＡＤＳＬ回線９０２−１を指す）のオーバラップ試験許可を、ＤＳＬＡＭ２−１へ回線状態制御信号線９０１を介して出力させた場合、ＤＳＬＡＭ２−１はＡＤＳＬ回線１へサブキャリアｘ番の制御を開始する。更に、ＤＳＬＡＭ２−１は、ＮＭＳ１へＡＤＳＬ回線９０２−１のサブキャリアｘ番を試験していることを通知するために信号回線状態制御信号線９０１に出力する（図１０のシーケンスＳ１０１〜Ｓ１０３）。
【００８０】
そしてＮＭＳ１は、一定時間内にＡＤＳＬ回線９０２−２または／およびＡＤＳＬ回線９０２−３からの障害通知の監視を行う。監視の結果、ＤＳＬＡＭ２−２からＡＤＳＬ回線９０２−３障害通知を受け取った場合、ＮＭＳ１は、回線状態制御信号線９０１を介してＤＳＬＡＭ２−１へＡＤＳＬ回線９０２−１のサブキャリア使用不許可を出力する（シーケンスＳ１４１，Ｓ１４２）。
【００８１】
ここで何かしらの障害により、ＡＤＳＬ回線９０２−１のサブキャリア使用不許可信号が消滅した場合、ＮＭＳ１は、本来返ってくるはずの返事（ＡＣＫ信号）を一定時間待つ。一定時間が経過すると、ＤＳＬＡＭ２−１は、再度、回線状態制御信号線９０１を介してＮＭＳ１へＡＤＳＬ回線９０２−１のサブキャリア使用不許可信号を出力する（シーケンスＳ１４３）。
【００８２】
しかし、これも何かしらの障害により、再送のＡＤＳＬ回線９０２−１のサブキャリア使用不許可信号が消滅した場合、ＤＳＬＡＭ２−１は、ＡＤＳＬ回線９０２−１のサブキャリアｘ番の試験開始から一定時間待つ。一定時間が経過すると、ＤＳＬＡＭ２―１は、何かしらの障害によりＮＭＳ１からの通知が届かないとしてＡＤＳＬ回線９０２−１のサブキャリアｘ番の試験を停止する。更に、ＤＳＬＡＭ２―１は、ＮＭＳ１へＡＤＳＬ回線１のサブキャリア使用停止を、回線状態制御信号線９０１を介して通知する（シーケンスＳ１４４〜Ｓ１４６）。
【００８３】
そしてＮＭＳ１は、シーケンスＳ１４６により、ＤＳＬＡＭ２−１側で何かしらの障害でＡＤＳＬ回線１のサブキャリア使用不許可信号が届かなかった場合の処理を実施してくれたとして、再送のＡＤＳＬ回線９０２−１のサブキャリア使用不許可信号の出力を停止する。
【００８４】
上記説明において、各ＤＳＬＡＭ２がＮＭＳ１からＡＤＳＬ回線９０２のサブキャリアｘの使用許可を得てＡＤＳＬ回線９０２のサブキャリアｘの試験を行う手順について以下に説明する。なお、以下の説明中のサブキャリアｎのｎは、オーバラップするサブキャリア番号を示している。
【００８５】
ＮＭＳ１からＡＤＳＬ回線９０２のサブキャリアｎの使用許可を得たＤＳＬＡＭ２の制御回路２１は、図示していない制御回路２１内の記憶部（例えば、不揮発性メモリ）に書き込まれた複数の試験データを、サブキャリアｎ番に乗せるように指示する。すると、送信回路２３は、指示のあったＡＤＳＬ回線９０２のサブキャリアｎ番に最初の試験データを乗せ、ＡＤＳＬモデム４に向けて送信する。送信を終えると、送信回路２３は、記憶部に格納されている残りの複数の試験データを使用許可を得たサブキャリアｎ番に順に乗せることで、試験データを変更しながら使用許可の得たＡＤＳＬ回線９０２のサブキャリアｎ番の試験を行う。すると、試験を行っているＡＤＳＬ回線９０２と同じ回線３内に束になっている他のＡＤＳＬ回線９０２上のデータが影響を受ければ、その該当するＡＤＳＬ回線９０２に接続されているＤＳＬＡＭ２またはＡＤＳＬモデム４が正当性のチェックを行うことにより回線障害を検出する（ＡＤＳＬモデム４で回線障害が検出された場合には、ＡＤＳＫモデム４からＤＳＬＡＭ２に報告される。）。ＤＳＬＡＭ２が回線障害を検出すると、ＮＭＳ１に回線障害を報告する。回線障害報告を受けたＮＭＳ１は、使用許可を与えたＡＤＳＬ回線９０２のサブキャリアｎ番による回線障害と判断し、そのＡＤＳＬ回線９０２のサブキャリアｎを使用不可に設定するように指示する（例えば、シーケンスＳ１１２，Ｓ１２２，Ｓ１３２，Ｓ１３３，Ｓ１４２，Ｓ１４３，Ｓ１４４を参照）。指示を受けたＤＳＬＡＭ２は、図示していない記憶部（例えば、ＲＡＭ）に割り当てられているＡＤＳＬ回線毎のテーブルに使用不可として登録する。このテーブルの該当するサブキャリアに使用不可と登録することにより、通常動作時において、送信回路２３は、テーブルを参照することで使用不可としたサブキャリアを使用しないでＡＤＳＬモデム４との通信を行うことができる。このようにして、ＮＭＳ１は、オーバラップする残りのサブキャリア番号に試験の使用許可を順に与えていく。なお、ＡＤＳＬ回線９０２に乗せる試験データとしてＤＳＬＡＭ２内の記憶部にパターンの違った試験データが予め複数準備されているが、試験データは、１つでも良い。
【００８６】
次にオーバラップ部分のサブキャリアの制御について説明する。
【００８７】
オーバラップ部分のサブキャリアの制御は単純にサブキャリアｎ番の使用／未使用だけではなく、サブキャリアｎ番の使用ビット数の制御を行うことでも良い。使用ビット数の制御（ビット単位の使用／未使用）を行うことにより同一カッド（複数のＡＤＳＬ回線９０２に使用しているケーブル３中に一緒に寄り合わせた束）内のＡＤＳＬ回線９０２への影響を抑えることができる。従って、ＤＳＬＡＭ２の制御回路２１内の記憶部には、ビット長に対応した試験データが予め格納されている。
【００８８】
図１１にサブキャリア制御フローチャートを示す。
【００８９】
あるサブキャリアの試験を初めて行う場合（前のサブキャリアの試験が終了してから次のサブキャリアの試験に着手する場合等）、ＤＳＬＡＭ２の制御回路２１は、予め割り当てられた１５ビット幅に初期値として最大となる１５ビット幅の試験データを設定する。そうでない場合（前の試験で使用不許可をもらった場合）は１ビット少なくしたビット幅の試験データを設定し試験を実施する（図１１のステップＡ１）。なお、各サブキャリアには、１５ビット幅のデータ長が割り当てられているとしたが、割り当てられるビット幅は特に規定しない。
【００９０】
そして、ＤＳＬＡＭ２の制御回路２１は、ＮＭＳ１への試験結果報告後、ＮＭＳ１からの使用許可の有無の結果を待つ（ステップＡ２）。
【００９１】
ＮＭＳ１からの結果として使用可能な場合（使用許可の場合）、ＤＳＬＡＭ２の制御回路２１は、この設定でサブキャリアを使用し、次のサブキャリアの使用に設定して処理を終了する（ステップＡ５，Ａ８，Ａ９）。
【００９２】
ステップＡ５において、ＮＭＳ１からの結果として使用不可能な場合（使用不許可の場合）、このビットの設定が最小の１ビットの場合、このサブキャリアを未使用として次のサブキャリアの使用に設定して処理を終了する（ステップＡ６，Ａ７，Ａ８）。
【００９３】
ステップＡ６において、このビットの設定が最小の１ビットではない場合には、ＤＳＬＡＭ２の制御回路２１は、処理を終了し、更に、この同じサブキャリアの試験を行うために、再度ステップＡ１に戻る。
【００９４】
次に、本発明の発明を実施するための最良の形態である第２の実施の形態について図面を参照して詳細に説明する。
【００９５】
図５は、本発明の第２の実施の形態におけるシステムの構成図を示す。
【００９６】
第２の実施の形態は、複数の通信事業者が管理しているＮＭＳ１とＤＳＬＡＭ２とに統合ＮＭＳ７を追加している点で、図１の第１の実施の形態と相違する。
【００９７】
これにより、回線ケーブル３中の同一カッド内に異なる通信事業者のＡＤＳＬ回線９０２が使用されていても、オーバラップのサブキャリアの制御が可能となる。なお、統合ＮＭＳ７は、ＣＰＵによりプログラム制御で動作するサーバ、パソコン等のコンピュータである。
【００９８】
図１２に統合ＮＭＳ７の動作シーケンス図を示す。なお、図中の回線１は、ＡＤＳＬ回線９０２−４に相当し、図中の回線２は、ＡＤＳＬ回線９０２−５に相当する。
【００９９】
まず統合ＮＭＳ７は、ＮＭＳ１−１からＡＤＳＬ回線９０２−４の試験要求が来た場合、同一カッド内のＡＤＳＬ回線９０２（図５の９０２−１または／および９０２−２）が試験中でなければ、ＮＭＳ１−１に試験許可（この場合ＡＣＫ信号）を出力する。統合ＮＭＳ７からＡＣＫ信号を受信したＮＭＳ１−１は、ＤＳＬＡＭ２−３にＡＤＳＬ回線９０２−４の試験許可（この場合ＡＣＫ信号）を出力する（図１２のシーケンスＳ２０１，Ｓ２０２，Ｓ２０３）。
【０１００】
統合ＮＭＳ７は、ＮＭＳ１−２からＡＤＳＬ回線９０２−５（図１２では回線２と表示：以降説明略）の試験要求が来た場合、既にＡＤＳＬ回線９０２−４の試験中であるため、不許可（ＮＡＫ信号）を出力する（シーケンスＳ２０５〜Ｓ２０６）。
【０１０１】
そしてＮＭＳ１−１は、同一カッド内のＡＤＳＬ回線９０２の障害通知が無い場合、ＤＳＬＡＭ２−４に対してＡＤＳＬ回線９０２−４の使用許可を行う。更に、ＮＭＳ１−１は、ＤＳＬＡＭ２−３からの返事（ＡＣＫ信号）が来たら統合制御信号線９１１−１を介して統合ＮＭＳ１２へＡＤＳＬ回線９０２−４の試験終了を通知する（シーケンスＳ２０７〜Ｓ２０９）。
【０１０２】
次に統合ＮＭＳ７は、ＮＭＳ１−１へ回線１試験終了を受け取った返事（ＡＣＫ信号）を出力する。更に、統合ＮＭＳ７は、試験開放信号を統合制御信号線９１１−２に出力することで、先程ＡＤＬＳＬ回線９０２−４試験中にＡＤＳＬ回線９０２−５試験要求が来たＮＭＳ１−２に対して試験要求が受け付け可能となった事を通知する（シーケンスＳ２１０，Ｓ２１１）。
【０１０３】
この時、ＮＭＳ１−２は再度、ＡＤＳＬ回線９０２−４試験要求の通知を出力し、統合ＮＭＳ１２は同一カッド内のＡＤＳＬ回線９０２が試験中でなければＮＭＳ１−２に許可（ＡＣＫ信号）を出力し、ＮＭＳ１−２は、ＤＳＬＡＭ２−４に回線２試験許可を出力する（シーケンスＳ２１２〜Ｓ２１４）。
【０１０４】
ここでＡＤＳＬ回線９０２−３に障害が発生した場合、ＤＳＬＡＭ２−３は、ＮＭＳ１−１にＡＤＳＬ回線９０２−４障害を通知する。すると、ＮＭＳ１−１は、統合制御信号線９１１−１を介して統合ＮＭＳ７にＡＤＳＬ回線９０２−４障害を通知する（シーケンスＳ２１６，Ｓ２１７）。
【０１０５】
そして統合ＮＭＳ１２は、ＮＭＳ１−２へ同一カッド内のＡＤＳＬ回線９０２に障害が発生したとして、ＡＤＳＬ回線９０２―４使用不許可を出力する。使用不許可を受信したＮＭＳ１−２は、ＤＳＬＡＭ２−４へＡＤＳＬ回線９０２―５使用不許可を出力する。
【０１０６】
次にＮＭＳ１−２は、ＤＳＬＡＭ２−４からの返事（ＡＣＫ信号）が来たら、統合制御信号線９１１−２を介して統合ＮＭＳ１２へＡＤＳＬ回線９０２―５使用不許可を受け取った返事（ＡＣＫ信号）を出力する（シーケンスＳ２１８〜Ｓ２２１）。
【０１０７】
なお、上記第１および第２の実施の形態の説明では、回線ケーブル３を1本としたが、ＮＭＳ１がケーブルごとにＡＤＳＬ回線９０２を1本ずつ管理するようにすれば、複数の回線ケーブルでも管理できることは言うまでもない。
【０１０８】
次に、第１の実施の形態において、具体的な例を用いて動作を説明する。
【０１０９】
図１を参照すると、回線ケーブル３に３本のＡＤＳＬ回線９０２を有し、端末装置５−１とサービス供給装置６−１、端末装置５−２とサービス供給装置６−２、端末装置５−３とサービス供給装置６−３がそれぞれデータ通信を行っている。
【０１１０】
オーバラップの対象であるＡＤＳＬ回線９０２−１のサブキャリア３１番から試験を行うとする。ＡＤＳＬ回線９０２−１のオーバラップ試験許可をＮＭＳ１からＤＳＬＡＭ２−１へ出力された場合、ＤＳＬＡＭ２−１はＡＤＳＬ回線９０２−１へサブキャリア３１番の制御を開始し、ＮＭＳ１へＡＤＳＬ回線９０２−１のサブキャリア３１番を試験していることを出力する。
【０１１１】
そしてＮＭＳ１は、一定時間内にＡＤＳＬ回線９０２−２とＡＤＳＬ回線９０２−３からの障害通知の監視を行い、障害通知がない場合、ＤＳＬＡＭ２−１へＡＤＳＬ回線９０２−１のサブキャリア使用許可を出力する。
【０１１２】
この時、ＤＳＬＡＭ２−１はＡＤＳＬ回線９０２−１のサブキャリア３１番の使用を開始し、ＮＭＳ１へ使用許可信号を受け取った返事（ＡＣＫ信号）を出力する。
【０１１３】
次にＮＭＳ１は、ＡＤＳＬ回線９０２−２のオーバラップ試験許可をＤＳＬＡＭ２−１へ出力し、ＤＳＬＡＭ２−１はＡＤＳＬ回線９０２−２へサブキャリア３１番の制御を開始し、ＮＭＳ１へＡＤＳＬ回線９０２−２のサブキャリア３１番を試験していることを出力する。
【０１１４】
そしてＮＭＳ１は、一定時間内にＡＤＳＬ回線９０２−２とＡＤＳＬ回線９０２−３からの障害通知の監視を行い、ＤＳＬＡＭ２−２からＡＤＳＬ回線９０２−３障害通知を受け取った場合、ＤＳＬＡＭ２−１へＡＤＳＬ回線９０２−２のサブキャリア使用不許可を出力する。
【０１１５】
この時、ＤＳＬＡＭ２−１はＡＤＳＬ回線９０２−２のサブキャリア３１番の使用を停止し、ＮＭＳ１へ使用不許可信号を受け取った返事（ＡＣＫ信号）を出力する。以降、ＮＭＳ１はＤＳＬＡＭ２−２にＡＤＳＬ回線９０２−３のオーバラップ試験許可を行い、この試験が終了したら再度ＡＤＳＬ回線９０２−１のオーバラップ試験許可を行い、オーバラップの対象である残りのサブキャリアについても、回線ケーブル３に使用している３本のＡＤＳＬ回線９０２のサブキャリア制御を順番に実施する。
【０１１６】
また、上記の説明では、ＡＤＳＬに絞って説明したが、他のｘＤＳＬ（ｘ  Ｄｉｇｉｔａｌ  Ｓｕｂｓｃｒｉｂｅｒ  Ｌｉｎｅ）およびマルチサブキャリアによる信号のやり取りを行う回線においても、本発明を適用できることは、言うまでもない。
【０１１７】
以上説明したように、本発明の第１および第２の実施の形態は、下りＡＤＳＬ回線９０２−１のサブキャリアと上りＡＤＳＬ回線のサブキャリアとがオーバラップするサブキャリアの試験を行っている。更に、本発明の第１および第２の実施の形態は、その試験中に同一カッドの別のＡＤＳＬ回線９０２−２に障害が発生すると試験を行ったＡＤＳＬ回線のサブキャリアの使用を停止するようにしている。そのため、本発明の実施の形態は、同一カッド内に使用されているＡＤＳＬ回線９０２複数に影響を与えずにオーバラップを使用したＡＤＳＬ回線を使用できる。
【０１１８】
また、本発明の第１および第２の実施の形態は、ＮＭＳ１の指示により、ＤＳＬＡＭ２がオーバラップするサブキャリアの試験を行い、その試験中にＤＳＬＡＭ２を介してＮＭＳ１が同一カッドで使用している別のＡＤＳＬ回線の通信状態（障害）を検出する。従って、第１および第２の実施の形態は、ＮＭＳ１がオーバラップに使用するＡＤＳＬ回線９０２のサブキャリアの使用／未使用の判定ができることになる。そのため、第１および第２の実施の形態は、同一カッド内に使用されているＡＤＳＬ回線９０２複数に影響を与えずにオーバラップを使用したＡＤＳＬ回線９０２を使用できる。
【０１１９】
また、本発明の第１および第２の実施の形態は、ＮＭＳ１がＤＳＬＡＭ２にオーバラップするサブキャリアの試験を行わせることにより、各ＡＤＳＬ回線９０２、ケーブルごとに異なる要因を検出する。更に、第１および第２の実施の形態は、検出した要因に合った使い方（障害があれば使用禁止）としてダイナミックに制御を行う。そのため、本発明の第１および第２の実施の形態は、ケーブル中のＡＤＳＬ回線どうしの漏話の取り締まりが運用中でも容易にできる。
【０１２０】
次に、本発明を実施するための最良の形態である第３の実施の形態について図面を参照して説明する。
【０１２１】
図１を参照すると、図１は、第１の実施の形態と同じ第３の実施の形態を示すシステム構成図である。第１の実施の形態のＮＭＳ１とＤＳＬＡＭ２がオーバラップ制御（オーバラップによる帯域制御）に基づいて動作する点と比べ、第３の実施の形態は、ＮＭＳ１、ＤＳＬＡＭ２、ＡＤＳＬモデム４がオーバラップによらない帯域制御に基づいて動作する点で、第１の実施の形態と相違する。
【０１２２】
次に帯域制御技術の説明をする。
【０１２３】
図１３（ａ）は、上りＡＤＳＬ信号の周波数帯域（以降、周波数帯域を、単に帯域と呼ぶ場合がある）を増加（または拡張とも言う）した場合の電力分布図を示す。図１３（ａ）の電力分布は、上りＡＤＳＬ信号９２９（後述説明）と下りＡＤＳＬ信号９０８（後述説明）の境界点が２７６ｋＨｚで有る点で、図２５の従来ＡＤＳＬの電力分布図と相違する。すなわち、帯域増加した上りＡＤＳＬ信号９２９（後述説明）は、図１４の下りＡＤＳＬ信号９２８と重なってしまう部分が有ることになる。なお、この場合の図２５の従来の電力分布は、帯域増加する前の電力分布に該当する。
【０１２４】
図１３（ｂ）の上図は、あるＡＤＳＬ回線（例えば、ＡＤＳＬ回線９０２−１）における上りＡＤＳＬ信号の帯域を増加した場合の電力分布図である。図１３（ｂ）の下図は、図１３（ｂ）の上図のＡＤＳＬ回線（例えば、ＡＤＳＬ回線９０２−１）と同じ回線ケーブル３内で別のＡＤＳＬ回線（例えば、ＡＤＳＬ回線９０２−２）における上りＡＤＳＬ信号の帯域を増加していない場合の電力分布図を示している。更に、図１３（ｂ）は、この２つの違ったＡＤＳＬ回線の電力分布図を基に、２つのＡＤＳＬ回線が干渉の受け易い部分を示した図である。すなわち、干渉の受け易い場所は、上側の上りＡＤＳＬ信号の帯域を増加した上りＡＤＳＬ信号の電力分布と下側の上りＡＤＳＬ信号の帯域を増加していない下りＡＤＳＬ信号の電力分布とが、重なる部分である。この重なる部分（すなわち、上りＡＤＳＬ信号の帯域を増加した部分）を、ＤＳＬＡＭ２または／およびＡＤＳＬモデム４が試験を行う。なお、上記の説明において、境界点を２７６ＫＨｚとしたが、境界点は、必ずしも２７６ＫＨｚにする必要はなく、使用する周波数帯域であればどの点でも良い。
【０１２５】
また、図３は、図１３におけるサブキャリアの詳細な電力分布を示したサブキャリア電力分布図でもある。すなわち、図１３は、ＡＤＳＬの使用帯域を４ｋＨｚ幅のサブキャリアで分けた図であって、第（ｎ）サブキャリアと第（ｎ＋１）サブキャリアとの関係を示す。ただし、ｎは、１以上の整数である。この場合の第（ｎ）サブキャリアの使用帯域をサブキャリアｎ番と呼ぶ。図１３における例では、サブキャリア番号は、１番から２５６番となり、以降の説明では、１〜２５６として説明するが、サブキャリアの取り方は、特に限定しない。なお、端末装置５のＡＤＳＬモデムがＡＤＳＬ回線９０２に出力する場合には、上りＡＤＳＬに対応する周波数帯域（サブキャリア）にデータを乗せ、ＤＳＬＡＭ２がＡＤＳＬ回線９０２に出力する場合には、下りＡＤＳＬに対応する周波数帯域（サブキャリア）にデータを乗せる。
【０１２６】
図１４（ａ）を参照すると、ＤＳＬＡＭ２は、制御回路３１と、送信回路３３と、ハイブリッド回路３４と、受信回路３５とを有している。更に、ＤＳＬＡＭ２は、下りデータ信号９２５と、上りデータ信号９２６と、下りＡＤＳＬ信号９２８と、上りＡＤＳＬ信号９２９と、送信試験データ９３１とを有している。なお、ＤＳＬＡＭ２−１は図１４の構成による回路を２個有し、ＤＳＬＡＭ２−２は図１４の構成による回路を１個有している。また、下りデータ信号９２５と上りデータ信号９２６とが、図１の局舎側データ信号線９０４上に乗る。また、音声側の回路と、電話信号（音声側で４ｋＨｚ以下の帯域）とＡＤＳＬ信号との合成／分離を行うスプリッタとは、説明の都合上、図１４（ａ）の構成図から省略している。
【０１２７】
ハイブリッド回路３４は、ＡＤＳＬ回線９０２から信号変換して上りＡＤＳＬの周波数帯域に対応する上りＡＤＳＬ信号９２９を抽出し、下りＡＤＳＬの周波数帯域に対応する下りＡＤＳＬ信号９２８を信号変換してＡＤＳＬ回線９０２上に出力する。
【０１２８】
制御回路３１は、ＮＭＳ１からの回線状態信号線９０１によりサブキャリアｘ番（ｘは、１，２・・・２５６のいずれかの整数）の上り帯域増加試験許可を得る。すると、制御回路３１は、図示していない記憶部（例えば、メモリ）に予め格納されている試験データを、送信試験データ９３１の指定されたサブキャリアｘ番に載せて、送信回路３３、ハイブリッド回路３４を介して送信することでサブキャリアｘ番の試験を行う。試験中、制御回路３１は、要求のあったＮＭＳ１に対してサブキャリアｘ番が試験中であることを回線状態信号線９０１に出力する。また、ＡＤＳＬ回線９０２を介して送信されたデータの正当性のチェックがＡＤＳＬモデム４で行われ、その試験結果（この場合、正常であるとＡＣＫ、異常であるとＮＡＣＫがそれぞれ来る）がＡＤＳＬ回線９０２を介してＤＳＬＡＭ２に来る。すると、ＤＳＬＡＭ２の制御回路３１は、ハイブリッド回路３４、受信回路３５を介して試験結果を受信し、異常であれば、受信した試験結果をＮＭＳ１に通知する。
【０１２９】
図１４（ｂ）を参照すると、ＡＤＳＬモデム４は、制御回路４１と、送信回路４３と、ハイブリッド回路４４と、受信回路４５とを有している。更に、ＡＤＳＬモデム４は、上りデータ信号９４５と、下りデータ信号９４６と、上りＡＤＳＬ信号９４８と、下りＡＤＳＬ信号９４９と、送信試験データ９４１とを有している。なお、上りデータ信号９４５と下りデータ信号９４６とが、図１の端末側データ信号線９０３上に乗る。また、音声側の回路と、電話信号（音声側で４ｋＨｚ以下の帯域）とＡＤＳＬ信号との合成／分離を行うスプリッタとは、説明の都合上、図１４（ｂ）の構成図から省略している。
【０１３０】
ハイブリッド回路３４は、ＡＤＳＬ回線９０２から信号変換して上りＡＤＳＬの周波数帯域に対応する上りＡＤＳＬ信号９２９を抽出し、下りＡＤＳＬの周波数帯域に対応する下りＡＤＳＬ信号９２８を信号変換してＡＤＳＬ回線９０２上に出力する。
【０１３１】
次に、シーケンス図を参照して本実施の形態の全体の動作について詳細に説明する。
【０１３２】
図１５〜図１７は、あるＡＤＳＬ回線９０２の上りＡＤＳＬ信号の帯域を増加したときに、その帯域増加したＡＤＳＬ回線９０２の上りＡＤＳＬ信号の試験を行う場合のＮＭＳ１、ＤＳＬＡＭ２、ＡＤＳＬモデム４のそれぞれの動作を示すフローチャートである。
【０１３３】
説明を分かり易くするために、今、ＡＤＳＬ回線９０２−１の上りのＡＤＳＬ信号の帯域が増加されたとする。すると、ＮＭＳ１は、ＤＳＬＡＭ２−１に帯域増加した上り回線であるＡＤＳＬ回線９０２−１の上り帯域増加試験許可の指示を行う（図１５のステップＡ１０１）。なお、ＡＤＳＬ回線９０２−２，９０２−３は、帯域増加されていない。
【０１３４】
ＤＳＬＡＭ２−１は、上り帯域増加試験許可の指示を受信すると、ＡＤＳＬ回線９０２−１の接続先であるＡＤＳＬモデム４−１に対して上り帯域増加試験許可（サブキャリアｘ番）の指示を行う（図１６のステップＢ１０１）。この場合のサブキャリアｘ番は、帯域増加することによって他のＡＤＳＬ回線９０２（例えば、ＡＤＳＬ回線９０２−２）の下りＡＤＳＬ回線の帯域と重なっている最初のサブキャリア番号（一番若い番号）である。
【０１３５】
ＡＤＳＬモデム４−１の制御回路４１は、ハイブリッド４４、受信回路４５を介して帯域増加試験許可の指示を受信すると、ＤＳＬＡＭ２−１にＡＣＫを、送信回路４３、ハイブリッド４４を介して返信する（図１７のステップＣ１０１）。
【０１３６】
ＤＳＬＡＭ２−１は、ＡＤＳＬモデム４−１からＡＣＫを受信すると、ＮＭＳ１に対してＡＣＫを送信する（図１６のステップＢ１０２，Ｂ１０３）。
【０１３７】
ＮＭＳ１は、ＤＳＬＡＭ２−１からＡＣＫを受信すると、サブキャリアｘ番の試験が始まったとして、その試験中である予め決められた時間の間、障害の報告があるかを監視するために、図示していないタイマを起動する（図１５のステップＡ１０２，Ａ１０３）。
【０１３８】
一方、ＡＤＳＬ４−１の制御回路４１は、ＡＣＫを返信した後、サブキャリアｘ番の試験を行う。すなわち、制御回路４１は、図示していない記憶部（例えば、ＲＡＭ）に格納されている試験データを読み出す。更に、制御回路４１は、送信回路４３、ハイブリッド４４を介してＡＤＳＬ回線９０２−１上に指定されたサブキャリアｘ番に試験データを乗せたＡＤＳＬ信号を出力する。この場合、試験データは、複数準備されており、順番にサブキャリアｘ番に乗せて送信する（ステップＣ１０２）。
【０１３９】
受信側のＤＳＬＡＭ２−１の制御回路３１は、ハイブリッド２４、受信回路３５を介してサブキャリアｘ番に乗っている試験データを受信する。更に、次々に試験データを受信する毎に、制御回路３１は、受信した試験データと図示していない記憶部（例えば、ＲＡＭ）に格納されている試験データとを順番に比較し、一致すれば、ＮＭＳ１の指示を待つ。一致していなければ、ＤＳＬＡＭ２は、ＮＭＳ１に対して、試験を行ったサブキャリアｘ番で障害が発生したことを通知する（図１６のステップＢ１０４〜Ｂ１０６）。
【０１４０】
一方、ＮＭＳ１は、タイマ起動中（サブキャリアｘ番の試験中）に、各ＤＳＬＡＭ２から障害報告があるかどうかを監視している。ＮＭＳ１は、この監視中に障害報告（少なくとも１つ以上）があると、現在試験中のＡＤＳＬ回線９０２−１の上りＡＤＳＬ信号のサブキャリアｘ番の使用の禁止を図示していない記憶部（例えば、ＲＡＭ）に割り当てられているテーブルに登録する。登録した後、ＮＭＳ１は、タイマを停止する（図１５のステップＡ１０４，Ａ１０５）。この後、ＮＭＳ１は、ステップＡ１０７の処理を行う。
【０１４１】
ＮＭＳ１は、監視中に障害報告がなければ、やがて所定の時間が来るとタイムアウトを検出する。ＮＭＳ１は、上りＡＤＳＬ信号のサブキャリアｘ番が上りのＡＤＳＬ試験では正常であったことを図示していない記憶部（例えば、ＲＡＭ）に割り当てられているテーブルに登録する（ステップＡ１０６）。
【０１４２】
更に、ＮＭＳ１は、試験を行うサブキャリアが残っているかを確認し、試験を行うサブキャリアが残っていれば、ｘ＝ｘ＋１の演算を行い、次のサブキャリアｘ番の帯域増加試験許可の指示をＤＳＬＡＭ２−１に送信する（ステップＡ１０７，Ａ１０８）。この場合、帯域増加試験許可の通知には、ＮＭＳ１がテーブルに登録されている試験中のサブキャリア番号（演算する前のｘ番）に該当する試験結果を読み出しその読み出した情報（試験中のサブキャリア番号の使用可または使用不可）が添付されている。
【０１４３】
このようにして、ＮＭＳ１は、試験を行うサブキャリアが存在しなくなるまでステップＡ１０８，Ａ１０２〜Ａ１０７の処理を繰り返す。やがて、ＮＭＳ１は、残りのサブキャリアの試験も行い、試験を行うサブキャリアが残っていなければ、この上りＡＤＳＬ信号サブキャリアの試験終了をＤＳＬＡＭ２―１に対して行う（ステップＡ１０９）。この場合の試験終了には、最後に行ったサブキャリア番号に対する試験結果が含まれている。
【０１４４】
更に、ＮＭＳ１は、同じ回線ケーブル３内の帯域増加していないＡＤＳＬ回線９０２の下りＡＤＳＬ信号の試験を行う（ステップＡ１１０）。
【０１４５】
一方、ＤＳＬＡＭ２−１は、次のサブキャリアｘの上り帯域増加試験許可の指示を受信すると、ＡＤＳＬ回線９０２−１の接続先であるＡＤＳＬモデム４−１に対して次のサブキャリアｘ番の試験許可（試験結果付き）の指示を行う（図１６のステップＢ１０８）。以降、ＤＳＬＡＭ２−１は、次の試験許可の指示がなくなるまで、ステップＢ１０８，Ｂ１０２〜Ｂ１０７の処理を繰り返す。試験終了をＮＭＳ１から受信した場合には、ＤＳＬＡＭ２−１は、試験終了指示（最後のサブキャリア番号の結果付き）をＡＤＳＬモデム４−１に行う（ステップＢ１０９）。
【０１４６】
一方、ＡＤＳＬモデム４−１は、次のサブキャリアｘ番の試験許可の指示を受信すると、現在のサブキャリア番号の試験を中断して、添付の試験結果を確認する。ＡＤＳＬモデム４−１は、試験中のサブキャリア番号の試験結果を図示していない記憶部（例えば、ＲＡＭ）に割り当てられているテーブル（サブキャリア毎に使用可能の有無を示すテーブル）に登録する。この場合、ＡＤＳＬモデム４−１は、使用可能であれば、結果通知を受けたサブキャリア番号に該当するエリアに使用可能として登録し、使用不可であれば、結果通知を受けたサブキャリア番号に該当するエリアに使用不可として登録する（ステップＣ１０４）。
【０１４７】
ステップＣ１０４において、試験結果を登録した後、ＡＤＳＬモデム４−１は、ステップＣ１０２〜Ｃ１０３の処理を繰り返す。以降、ＡＤＳＬモデム４−１は、次の試験許可の指示がなくなるまで、ステップＣ１０２〜C１０３の処理を繰り返す。
【０１４８】
やがて、試験終了指示が送られてきた場合には、ＡＤＳＬモデム４−１は、試験結果をＣ１０４の結果登録と同じようにテーブルに登録し、上りＡＤＳＬ信号のサブキャリア試験を終了する（ステップＣ１０５）。
【０１４９】
次に、ステップＡ１１０における下りＡＤＳＬ信号の帯域試験を行う場合の動作について以下に説明する。
【０１５０】
ＮＭＳ１は、帯域増加を行ったＡＤＳＬ回線９０２−１の上りＡＤＳＬ信号の増加分の全サブキャリアに試験データを乗せた状態にするために、ＤＳＬＡＭ２に対してＡＤＳＬ回線９０２−１の上りＡＤＳＬ信号の増加分のサブキャリアに試験データを流し続けるように指示する。すると、ＤＳＬＡＭ２は、ＡＤＳＬモデム４−１に対して、ＡＤＳＬ回線９０２−１の上りＡＤＳＬ信号の増加分のサブキャリアに試験データを流し続けるように指示する。すると、ＡＤＳＬモデム４−１は、ＡＣＫをＤＳＬＡＭ２に返信すると共に、図示していない記憶部から予め格納されている試験データを増加分の上りＡＤＳＬ信号のサブキャリアにデータを乗せ、ＡＤＳＬ回線９０２に出力する。この動作を中止する指示がＤＳＬＡＭ２−１から来るまで繰り返し、ＡＤＳＬモデム４−１は、流し続ける。
【０１５１】
一方、ＤＳＬＡＭ２−１は、ＡＣＫを受信すると、ＮＭＳ１にＡＣＫをＮＭＳ１に返信する。ＮＭＳ１は、ＡＣＫを受信すると、下りＡＤＳＬ信号の帯域試験の許可の指示を行う。
【０１５２】
この場合の動作を図１９〜図２２を参照して、説明する。
【０１５３】
図１９は、オーバラップ使用許可時の動作シーケンス図を示す。
【０１５４】
まずＮＭＳ１がＡＤＳＬ回線９０２−２のサブキャリアｘ番に対する上り帯域増加に伴う下り帯域試験許可をＤＳＬＡＭ２−１へ出力させた場合、ＤＳＬＡＭ２−１は、ＡＤＳＬ回線９０２−２へサブキャリアｘ番の制御を開始し、ＮＭＳ１へ応答（ＡＣＫ信号）を返す。同様に、ＮＭＳ１がＡＤＳＬ回線９０２−３のサブキャリアｘ番に対する上り帯域増加に伴う下り帯域試験許可をＤＳＬＡＭ２−２へ出力させた場合、ＤＳＬＡＭ２−１は、ＡＤＳＬ回線９０２−３へサブキャリアｘ番の制御を開始し、ＮＭＳ１へ応答（ＡＣＫ信号）を返す。この場合、ＤＳＬＡＭ２−１およびＤＳＬＡＭ２−２は、応答を返すと共に、それぞれＡＤＳＬ回線９０２−１、ＡＤＳＬ回線９０２−２のサブキャリアｘ番を試験していることを示す信号を出力する（図１９のシーケンスＳ１０１〜Ｓ１０３）。なお、下りＡＤＳＬ信号のサブキャリア番号の中で試験を行うサブキャリア番号は、上りＡＤＳＬ信号の帯域増加した部分のサブキャリアの番号全てである。
【０１５５】
そしてＮＭＳ１は、一定時間内（例えば、図示していないタイマを起動し、タイマ割込による処理）にＡＤＳＬ回線９０２−１〜ＡＤＳＬ回線９０２−３からの障害通知の監視を行う。ＮＭＳ１は、障害通知がない場合にＤＳＬＡＭ２−１へＡＤＳＬ回線９０２−１のサブキャリアｘ番の使用許可を示す信号を回線状態制御信号線９０１に出力する（シーケンスＳ１０４）。
【０１５６】
この時、ＤＳＬＡＭ２−１は、ＡＤＳＬ回線９０２−１のサブキャリアｘ番の使用を開始し、ＮＭＳ１へ使用許可信号を受け取った返事（ＡＣＫ信号）を出力する。
【０１５７】
図２０に上り帯域増加使用不許可時（その１）の動作シーケンス図を示す。なお、この場合の図２０は、増加分のサブキャリアの試験を行っている別のＤＳＬＡＭ２で障害を検出した場合の動作を示す。
【０１５８】
まずＮＭＳ１は、ＡＤＳＬ回線９０２−２およびＡＤＳＬ回線９０２−３のサブキャリアｘ番に対する上り帯域増加に伴う下り帯域試験許可を、それぞれＤＳＬＡＭ２−１およびＤＳＬＡＭ２−１へ出力する。すると、ＤＳＬＡＭ２−１はＡＤＳＬ回線９０２−２へサブキャリアｘ番の制御を、ＤＳＬＡＭ２−２はＡＤＳＬ回線９０２−３へサブキャリアｘ番の制御を、それぞれ開始する。更に、ＤＳＬＡＭ２−１はＮＭＳ１へＡＤＳＬ回線９０２−２のサブキャリアｘ番を、ＤＳＬＡＭ２−２はＮＭＳ１へＡＤＳＬ回線９０２−３のサブキャリアｘ番を、それぞれ試験していることを示す信号を回線状態制御信号線９０１に出力する（図２０のシーケンスＳ１０１〜Ｓ１０３）。
【０１５９】
そして、ＮＭＳ１は、一定時間内にＡＤＳＬ回線９０２−１〜ＡＤＳＬ回線９０２−３からの障害通知の監視を行い、例えばＤＳＬＡＭ２−２からＡＤＳＬ回線９０２−３障害通知を受け取った場合、ＤＳＬＡＭ２−１へＡＤＳＬ回線９０２−１のサブキャリアｘ番の使用不許可を出力する（シーケンスＳ１１１，Ｓ１１２）。
【０１６０】
この時、ＤＳＬＡＭ２−１は、ＡＤＳＬ回線９０２−１のサブキャリアｘ番の使用を停止し、ＮＭＳ１へ使用不許可信号を受け取った返事（ＡＣＫ信号）を出力する（シーケンスＳ１１３，Ｓ１１４）。
【０１６１】
図２１に上り帯域増加使用不許可時（その２）の動作シーケンス図を示す。なお、この場合の図１３１は、増加分のサブキャリアの試験を行っている同じＤＳＬＡＭ２で障害を検出した場合の動作を示す。
【０１６２】
まずＮＭＳ１は、ＡＤＳＬ回線９０２−２およびＡＤＳＬ回線９０２−３のサブキャリアｘ番に対する上り帯域増加に伴う下り帯域試験許可を、それぞれＤＳＬＡＭ２−１およびＤＳＬＡＭ２−２へ出力する。すると、ＤＳＬＡＭ２−１はＡＤＳＬ回線９０２−２へサブキャリアｘ番の制御を、ＤＳＬＡＭ２−２はＡＤＳＬ回線９０２−３へサブキャリアｘ番の制御を、それぞれ開始する。更に、ＤＳＬＡＭ２−１はＮＭＳ１へＡＤＳＬ回線９０２−２のサブキャリアｘ番を、ＤＳＬＡＭ２−２はＮＭＳ１へＡＤＳＬ回線９０２−３のサブキャリアｘ番を、それぞれ試験していることを示す信号を回線状態制御信号線９０１に出力する（図２１のシーケンスＳ１０１〜Ｓ１０３）。
【０１６３】
そして、ＮＭＳ１は、一定時間内にＡＤＳＬ回線９０２−１〜ＡＤＳＬ回線９０２−３からの障害通知の監視を行い、例えばＤＳＬＡＭ２−１からＡＤＳＬ回線９０２−２障害通知を受け取った場合、ＤＳＬＡＭ２−１へＡＤＳＬ回線９０２−１のサブキャリアｘ番の使用不許可を示す信号を出力する（シーケンスＳ１２１，Ｓ１２２）。
【０１６４】
この時、ＤＳＬＡＭ２−１は、ＡＤＳＬ回線９０２−１のサブキヤリアｘ番の使用を停止し、ＮＭＳ１へ使用不許可信号を受け取った返事（ＡＣＫ信号）を出力する（シーケンスＳ１２３，Ｓ１２４）。
【０１６５】
図２２に回線状態制御信号線９０１の通信異常時（その１）の動作シーケンス図を示す。この場合の図２２は、ＮＭＳ１からＤＳＬＡＭ２へのサブキャリア使用不許可信号の再送が成功する場合の動作を示す。
【０１６６】
まずＮＭＳ１は、ＡＤＳＬ回線９０２−２およびＡＤＳＬ回線９０２−３のサブキャリアｘに対する上り帯域増加に伴う下り帯域試験許可を、回線状態制御線９０１を介してそれぞれのＤＳＬＡＭ２−１、ＤＳＬＡＭ２−２へ出力する。すると、ＤＳＬＡＭ２−１はＡＤＳＬ回線９０２−２へサブキャリアｘ番の制御を、ＤＳＬＡＭ２−１はＡＤＳＬ回線９０２−３へサブキャリアｘ番の制御を、それぞれ開始する。更に、ＤＳＬＡＭ２−１はＮＭＳ１へＡＤＳＬ回線９０２−２のサブキャリアｘ番を、ＤＳＬＡＭ２−２はＮＭＳ１へＡＤＳＬ回線９０２−３のサブキャリアｘ番を、それぞれ試験していることを回線状態制御線９０１に出力する（図２２のシーケンスＳ１０１〜Ｓ１０３）。
【０１６７】
そしてＮＭＳ１は、一定時間内にＡＤＳＬ回線９０２−１〜ＡＤＳＬ回線９０２−３からの障害通知の監視を行う。監視の結果、ＤＳＬＡＭ２−２からＡＤＳＬ回線９０２−３障害通知を受け取った場合、ＮＭＳ１は、ＤＳＬＡＭ２−１へＡＤＳＬ回線９０２−１のサブキャリア使用不許可を出力する（シーケンスＳ１３１，Ｓ１３２）。
【０１６８】
ここで何かしらの障害により、ＡＤＳＬ回線９０２−１のサブキャリア使用不許可信号が消滅した場合、ＮＭＳ１は、本来返ってくるはずの返事（ＡＣＫ信号）を一定時間待つ。一定時間が経過すると、ＮＭＳ１は、再度ＡＤＳＬ回線９０２−１のサブキャリア使用不許可信号を出力する（シーケンスＳ１３３）。
【０１６９】
この時、ＤＳＬＡＭ２−１は、ＡＤＳＬ回線９０２−１のサブキャリアｘ番の使用を停止し、ＮＭＳ１へ使用不許可信号を受け取った返事（ＡＣＫ信号）を出力する（シーケンスＳ１３４，Ｓ１３５）。
【０１７０】
図２３に回線状態制御信号線９０１の通信異常時（その２）の動作シーケンス図を示す。この場合の図２３は、ＮＭＳ１からＤＳＬＡＭ２へのサブキャリア使用不許可信号の再送が成功しない場合の動作を示す。
【０１７１】
まずＮＭＳ１が上り帯域増加に伴いＡＤＳＬ回線９０２−２の下り帯域試験許可をＤＳＬＡＭ２−１へ、ＡＤＳＬ回線９０２−２の下り帯域試験許可をＤＳＬＡＭ２−２へ、回線状態制御信号線９０１を介してそれぞれ出力する。すると、ＤＳＬＡＭ２−１はＡＤＳＬ回線９０２−２へサブキャリアｘ番の制御を、ＤＳＬＡＭ２−２はＡＤＳＬ回線９０２−３へサブキャリアｘ番の制御を、それぞれ開始する。更に、ＤＳＬＡＭ２−１はＡＤＳＬ回線９０２−２のサブキャリアｘ番を、ＤＳＬＡＭ２−２はＡＤＳＬ回線９０２−３のサブキャリアｘ番を、それぞれ、試験していることをＮＭＳ１に通知するために信号回線状態制御信号線９０１に出力する（図２３のシーケンスＳ１０１〜Ｓ１０３）。
【０１７２】
そしてＮＭＳ１は、一定時間内にＡＤＳＬ回線９０２−２〜ＡＤＳＬ回線９０２−３からの障害通知の監視を行う。監視の結果、ＤＳＬＡＭ２−２からＡＤＳＬ回線９０２−３障害通知を受け取った場合、ＮＭＳ１は、回線状態制御信号線９０１を介してＤＳＬＡＭ２−１へＡＤＳＬ回線９０２−１のサブキャリア使用不許可を出力する（シーケンスＳ１４１，Ｓ１４２）。
【０１７３】
ここで何かしらの障害により、ＡＤＳＬ回線９０２−１のサブキャリア使用不許可信号が消滅した場合、ＮＭＳ１は、本来返ってくるはずの返事（ＡＣＫ信号）を一定時間待つ。一定時間が経過すると、ＮＭＳ１は、再度、回線状態制御信号線９０１を介してＤＳＬＡＭ２−１へＡＤＳＬ回線９０２−１のサブキャリア使用不許可信号を出力する（シーケンスＳ１４３）。
【０１７４】
しかし、これも何かしらの障害により、再送のＡＤＳＬ回線９０２−１のサブキャリア使用不許可信号が消滅した場合、ＤＳＬＡＭ２−１は、ＡＤＳＬ回線９０２−１のサブキャリアｘ番の試験開始から一定時間待つ。一定時間が経過すると、ＤＳＬＡＭ２―１は、何かしらの障害によりＮＭＳ１からの通知が届かないとしてＡＤＳＬ回線９０２−１のサブキャリアｘ番の試験を停止する。更に、ＤＳＬＡＭ２―１は、ＮＭＳ１へＡＤＳＬ回線９０２−１のサブキャリアｘ番使用停止を、回線状態制御信号線９０１を介して通知する（シーケンスＳ１４４〜Ｓ１４６）。
【０１７５】
そしてＮＭＳ１は、シーケンスＳ１４６により、ＤＳＬＡＭ２−１側で何かしらの障害でＡＤＳＬ回線１のサブキャリア使用不許可信号が届かなかった場合の処理を実施してくれたとして、再送のＡＤＳＬ回線９０２−１のサブキャリア使用不許可信号の出力を停止する。
【０１７６】
上記説明において、各ＤＳＬＡＭ２がＮＭＳ１からＡＤＳＬ回線９０２の下りＡＤＳＬ信号のサブキャリアｘの使用許可を得てＡＤＳＬ回線９０２の下りＡＤＳＬ信号のサブキャリアｘの試験を行う手順について以下に説明する。なお、以下の説明中のサブキャリアｎのｎは、あるＡＤＳＬ回線９０２の上りＡＤＳＬ信号の帯域の増加に伴って、帯域増加しないＡＤＳＬ回線９０２の下りＡＤＳＬ信号に対応するサブキャリア番号を示している。
【０１７７】
ＮＭＳ１からＡＤＳＬ回線９０２のサブキャリアｎの使用許可を得たＤＳＬＡＭ２の制御回路３１は、図示していない制御回路３１内の記憶部（例えば、不揮発性メモリ）に書き込まれた複数の試験データを、下りＡＤＳＬ信号のサブキャリアｎ番に乗せるように指示する。すると、送信回路３３は、指示のあったＡＤＳＬ回線９０２の下りＡＤＳＬ信号のサブキャリアｎ番に最初の試験データを乗せ、ＡＤＳＬモデム４に向けて送信する。送信を終えると、送信回路３３は、記憶部に格納されている残りの複数の試験データを使用許可を得たサブキャリアｎ番に順に乗せることで、試験データを変更しながら使用許可の得たＡＤＳＬ回線９０２のサブキャリアｎ番の試験を行う。すると、試験を行っているＡＤＳＬ回線９０２を含む同じ回線３内に束になっている他のＡＤＳＬ回線９０２上のデータが影響を受ければ、その該当するＡＤＳＬ回線９０２に接続されているＤＳＬＡＭ２またはＡＤＳＬモデム４が正当性のチェックを行うことにより回線障害を検出する（ＡＤＳＬモデム４で回線障害が検出された場合には、ＡＤＳＫモデム４からＤＳＬＡＭ２に報告される。）。但し、下りＡＤＳＬ信号のサブキャリア試験中、上りＡＤＳＬ信号の帯域増加しているＡＤＳＬ回線９０２の回線障害の検出は、ＡＤＳＬ回線９０２に流れている試験データとＤＳＬＡＭ２で記憶部に格納された試験データとの比較不一致による。
【０１７８】
ＤＳＬＡＭ２が回線障害を検出すると、ＮＭＳ１に回線障害を報告する。回線障害報告を受けたＮＭＳ１は、使用許可を与えたＡＤＳＬ回線９０２のサブキャリアｎ番による回線障害と判断し、帯域増加したＡＤＳＬ回線９０２の上りＡＤＳＬ信号のサブキャリアｎ番を使用不可に設定するように指示する（例えば、図２０〜図２３におけるシーケンスＳ１１２，Ｓ１２２，Ｓ１３２，Ｓ１３３，Ｓ１４２，Ｓ１４３，Ｓ１４４を参照）。指示を受けたＤＳＬＡＭ２は、ＡＤＳＬモデム４に上りＡＤＳＬ信号のサブキャリアｎ番を使用不可に設定するように指示する。すると、ＡＤＳＬモデム４は、図示していない記憶部（例えば、ＲＡＭ）に割り当てられているＡＤＳＬ回線毎のテーブルに使用不可として登録する。このテーブルの該当するサブキャリアに使用不可と登録することにより、通常動作時において、ＡＤＳＬモデム４の送信回路４３は、テーブルを参照することで使用不可としたサブキャリアを使用しないでＤＳＬＡＭ２との通信を行うことができる。このようにして、ＮＭＳ１は、上りＡＤＳＬ信号の帯域の増加となっている残りのサブキャリア番号に試験の使用許可を順に与えていく。なお、ＡＤＳＬ回線９０２に乗せる試験データとしてＤＳＬＡＭ２内の記憶部にパターンの違った試験データが予め複数準備されているが、試験データは、１つでも良い。
【０１７９】
次に上りＡＤＳＬ信号の帯域の増加となっている部分のサブキャリアの制御について説明する。
【０１８０】
上りＡＤＳＬ信号の帯域の増加となっている部分のサブキャリアの制御は単純にサブキャリアｎ番の使用／未使用だけではなく、サブキャリアｎ番の使用ビット数の制御を行うことでも良い。使用ビット数の制御（ビット単位の使用／未使用）を行うことにより同一カッド（複数のＡＤＳＬ回線９０２に使用しているケーブル３中に一緒に寄り合わせた束）内のＡＤＳＬ回線９０２への影響を抑えることができる。従って、ＡＤＳＬモデム４の制御回路４１内の記憶部には、ビット長に対応した試験データが予め格納されている。
【０１８１】
図１８にサブキャリア制御フローチャートを示す。
【０１８２】
あるサブキャリアの試験を初めて行う場合（前のサブキャリアの試験が終了してから次のサブキャリアの試験に着手する場合等）、ＡＤＳＬモデム４の制御回路４１は、予め割り当てられた１５ビット幅に初期値として最大となる１５ビット幅の試験データを設定する。そうでない場合（前の試験で使用不許可をもらった場合）は１ビット少なくしたビット幅の試験データを設定し試験を実施する（図１８のステップＣ２０１，Ｃ２０３）。なお、各サブキャリアには、１５ビット幅のデータ長が割り当てられているとしたが、割り当てられるビット幅は特に規定しない。
【０１８３】
そして、ＡＤＳＬモデム４の制御回路４１は、ＡＤＳＬ回線９０２の上りＡＤＳＬ信号のサブキャリアｘに試験データを乗せて送信し、その試験データを送信することにより試験結果に対するＤＳＬＡＭ２からの使用許可の有無の結果を待つ（ステップＣ２０２）。
【０１８４】
ＤＳＬＡＭ２は、ＡＤＳＬモデム４から受信した試験データと記憶部に格納されているデータとを比較し、一致しなければ、エラーとしてＮＭＳ１に通知する。
【０１８５】
一方、ＮＭＳ１は、全てのＤＳＬＡＭ２からの障害を一定時間の間、監視している。ＮＭＳ１は、この間に障害が発生しなければ正常と判断し、まだ試験すべき増設したサブキャリアが残っていれば、ｘ＝ｘ＋１を算出し、次のサブブキャリアの試験指示を試験中のＤＳＬＡＭ２に対して行う。この間に障害を検出した場合は、ＮＭＳ１は、使用不可とすると共に、次のビット幅の試験を行うように指示を試験中のＤＳＬＡＭ２に対して行う。ＤＳＬＡＭ２は、試験中のビット幅に対する試験結果（試験中のビット幅の使用可能）と次のビット幅の試験開始許可を受けると、その指示をＡＤＳＬモデム４に対して行う。
【０１８６】
ＤＳＬＡＭ２からの結果として使用可能な場合（使用許可の場合）、ＡＤＳＬモデム４の制御回路４１は、この設定でサブキャリアを使用し、次のサブキャリアの使用に設定して処理を終了する（ステップＣ２０５，Ｃ２０８，Ｃ２０９）。
【０１８７】
ステップＣ２０５において、ＤＳＬＡＭ２からの結果として使用不可能な場合（使用不許可の場合）、制御回路４１は、このビットの設定が最小の１ビットの場合、このサブキャリアを未使用として次のサブキャリアの使用に設定して処理を終了する（ステップＣ２０６，Ｃ２０７，Ｃ２０８）。
【０１８８】
ステップＣ２０６において、このビットの設定が最小の１ビットではない場合には、ＡＤＳＬモデム４の制御回路４１は、処理を終了し、更に、この同じサブキャリアの試験を行うために、再度ステップＣ２０１に戻る。
【０１８９】
次に、本発明の発明を実施するための最良の形態である第４の実施の形態について図面を参照して詳細に説明する。
【０１９０】
図５は、本発明の第４の実施の形態におけるシステムの構成図を示す。
【０１９１】
第４の実施の形態は、複数の通信事業者が管理しているＮＭＳ１とＤＳＬＡＭ２とに統合ＮＭＳ７を追加している点で、図１の第３の実施の形態と相違する。
【０１９２】
これにより、回線ケーブル３中の同一カッド内に異なる通信事業者のＡＤＳＬ回線９０２が使用されていても、上りＡＤＳＬ信号の帯域の増加となっているサブキャリアの制御が可能となる。なお、統合ＮＭＳ７は、ＣＰＵによりプログラム制御で動作するサーバ、パソコン等のコンピュータである。
【０１９３】
図１２に統合ＮＭＳ７の動作シーケンス図を示す。この場合、第２の実施の形態と同じ図１２を使用して説明するが、打４の実施形態におけるそれぞれの装置の動作が第２の実施の形態におけるそれぞれの装置の動作と食い違う。なお、図中の回線１は、ＡＤＳＬ回線９０２−４に相当し、図中の回線２は、ＡＤＳＬ回線９０２−５に相当する。
【０１９４】
まず統合ＮＭＳ７は、ＡＤＳＬ回線９０２−４の上りＡＤＳＬ信号の帯域増加に伴い、ＮＭＳ１−１からＡＤＳＬ回線９０２−４の試験要求が来た場合、同一カッド内のＡＤＳＬ回線９０２（図５の９０２−４または／および９０２−５）が試験中でなければ、ＮＭＳ１−１に試験許可（この場合ＡＣＫ信号）を出力する。統合ＮＭＳ７からＡＣＫ信号を受信したＮＭＳ１−１は、ＤＳＬＡＭ２−３にＡＤＳＬ回線９０２−４の試験許可（この場合ＡＣＫ信号）を出力する（図１２のシーケンスＳ２０１，Ｓ２０２，Ｓ２０３）。
【０１９５】
統合ＮＭＳ７は、ＡＤＳＬ回線９０２−５の上りＡＤＳＬ信号の帯域増加に伴い、ＮＭＳ１−２からＡＤＳＬ回線９０２−５（図１２では回線２と表示：以降説明略）の試験要求が来た場合、既にＡＤＳＬ回線９０２−４の試験中であるため、不許可（ＮＡＫ信号）を出力する（シーケンスＳ２０５〜Ｓ２０６）。
【０１９６】
そしてＮＭＳ１−１は、同一カッド内のＡＤＳＬ回線９０２の障害通知が無い場合、ＤＳＬＡＭ２−４に対してＡＤＳＬ回線９０２−４の使用許可を行う。更に、ＮＭＳ１−１は、ＤＳＬＡＭ２−３からの返事（ＡＣＫ信号）が来たら統合制御信号線９１１−１を介して統合ＮＭＳ１２へＡＤＳＬ回線９０２−４の試験終了を通知する（シーケンスＳ２０７〜Ｓ２０９）。
【０１９７】
次に統合ＮＭＳ７は、ＮＭＳ１−１へ回線１試験終了を受け取った返事（ＡＣＫ信号）を出力する。更に、統合ＮＭＳ７は、試験開放信号を統合制御信号線９１１−２に出力することで、先程ＡＤＬＳＬ回線９０２−４試験中にＡＤＳＬ回線９０２−５試験要求が来たＮＭＳ１−２に対して試験要求が受け付け可能となった事を通知する（シーケンスＳ２１０，Ｓ２１１）。
【０１９８】
この時、ＮＭＳ１−２は再度、ＡＤＳＬ回線９０２−４試験要求の通知を出力し、統合ＮＭＳ１２は同一カッド内のＡＤＳＬ回線９０２が試験中でなければＮＭＳ１−２に許可（ＡＣＫ信号）を出力し、ＮＭＳ１−２は、ＤＳＬＡＭ２−４に回線２試験許可を出力する（シーケンスＳ２１２〜Ｓ２１４）。
【０１９９】
ここでＡＤＳＬ回線９０２−３に障害が発生した場合、ＤＳＬＡＭ２−３は、ＮＭＳ１−１にＡＤＳＬ回線９０２−４障害を通知する。すると、ＮＭＳ１−１は、統合制御信号線９１１−１を介して統合ＮＭＳ７にＡＤＳＬ回線９０２−４障害を通知する（シーケンスＳ２１６，Ｓ２１７）。
【０２００】
そして統合ＮＭＳ１２は、ＮＭＳ１−２へ同一カッド内のＡＤＳＬ回線９０２に障害が発生したとして、ＡＤＳＬ回線９０２―４使用不許可を出力する。使用不許可を受信したＮＭＳ１−２は、ＤＳＬＡＭ２−４へＡＤＳＬ回線９０２―５使用不許可を出力する。
【０２０１】
次にＮＭＳ１−２は、ＤＳＬＡＭ２−４からの返事（ＡＣＫ信号）が来たら、統合制御信号線９１１−２を介して統合ＮＭＳ１２へＡＤＳＬ回線９０２―５使用不許可を受け取った返事（ＡＣＫ信号）を出力する（シーケンスＳ２１８〜Ｓ２２１）。
【０２０２】
なお、上記第３および第４の実施の形態の説明では、回線ケーブル３を1本としたが、ＮＭＳ１がケーブルごとにＡＤＳＬ回線９０２を1本ずつ管理するようにすれば、複数の回線ケーブルでも管理できることは言うまでもない。
【０２０３】
次に、第３の実施の形態において、具体的な例を用いて動作を説明する。
【０２０４】
図１を参照すると、回線ケーブル３に３本のＡＤＳＬ回線９０２を有し、端末装置５−１とサービス供給装置６−１、端末装置５−２とサービス供給装置６−２、端末装置５−３とサービス供給装置６−３がそれぞれデータ通信を行っている。
【０２０５】
上りＡＤＳＬ信号の帯域の増加により対象となっているＡＤＳＬ回線９０２−１のサブキャリア３１番から試験を行うとする。ＡＤＳＬ回線９０２−１の上り帯域増加試験許可をＮＭＳ１からＤＳＬＡＭ２−１へ出力された場合、ＤＳＬＡＭ２−１はＡＤＳＬ回線９０２−１へサブキャリア３１番の制御を開始し、ＮＭＳ１へＡＤＳＬ回線９０２−１のサブキャリア３１番を試験していることを出力する。
【０２０６】
そしてＮＭＳ１は、一定時間内にＡＤＳＬ回線９０２−２とＡＤＳＬ回線９０２−３からの障害通知の監視を行い、障害通知がない場合、ＤＳＬＡＭ２−１へＡＤＳＬ回線９０２−１のサブキャリア使用許可を出力する。
【０２０７】
この時、ＤＳＬＡＭ２−１はＡＤＳＬ回線９０２−１のサブキャリア３１番の使用を開始し、ＮＭＳ１へ使用許可信号を受け取った返事（ＡＣＫ信号）を出力する。
【０２０８】
次にＮＭＳ１は、ＡＤＳＬ回線９０２−２の上り帯域増加試験許可をＤＳＬＡＭ２−１へ出力し、ＤＳＬＡＭ２−１はＡＤＳＬ回線９０２−２へサブキャリア３１番の制御を開始し、ＮＭＳ１へＡＤＳＬ回線９０２−２のサブキャリア３１番を試験していることを出力する。
【０２０９】
そしてＮＭＳ１は、一定時間内にＡＤＳＬ回線９０２−２とＡＤＳＬ回線９０２−３からの障害通知の監視を行い、ＤＳＬＡＭ２−２からＡＤＳＬ回線９０２−３障害通知を受け取った場合、ＤＳＬＡＭ２−１へＡＤＳＬ回線９０２−２のサブキャリア使用不許可を出力する。
【０２１０】
この時、ＤＳＬＡＭ２−１はＡＤＳＬ回線９０２−２のサブキャリア３１番の使用を停止し、ＮＭＳ１へ使用不許可信号を受け取った返事（ＡＣＫ信号）を出力する。以降、ＮＭＳ１はＤＳＬＡＭ２−２にＡＤＳＬ回線９０２−３の上り帯域増加試験許可を行い、この試験が終了したら再度ＡＤＳＬ回線９０２−１の上り帯域増加試験許可を行い、オーバラップの対象である残りのサブキャリアについても、回線ケーブル３に使用している３本のＡＤＳＬ回線９０２のサブキャリア制御を順番に実施する。
【０２１１】
また、上記の第３および第４の実施の形態における説明では、ＡＤＳＬに絞って説明したが、他のｘＤＳＬ（ｘ  Ｄｉｇｉｔａｌ  Ｓｕｂｓｃｒｉｂｅｒ  Ｌｉｎｅ）およびマルチサブキャリアによる信号のやり取りを行う回線においても、本発明を適用できることは、言うまでもない。
【０２１２】
また、上記第３および第４の実施の形態において、ＡＤＳＬ信号の帯域制御を行う端末側の装置として、ＡＤＳＬモデム４として説明したが、ＡＤＳＬモデムの機能を有するルータ等の装置であっても良い。
【０２１３】
以上説明したように、本発明の第３および第４の実施の形態は、帯域増加前の下りＡＤＳＬ回線９０２−１のサブキャリアと帯域増加後の上りＡＤＳＬ回線のサブキャリアとが重なり合うサブキャリアの試験を行っている。更に、本発明の第１および第２の実施の形態は、その試験中に同一カッドの別のＡＤＳＬ回線９０２−２に障害が発生すると試験を行ったＡＤＳＬ回線のサブキャリアの使用を停止するようにしている。そのため、本発明の実施の形態は、同一カッド内に使用されているＡＤＳＬ回線９０２複数に影響を与えずに帯域増加分のサブキャリアを使用したＡＤＳＬ回線を使用できる。
【０２１４】
また、本発明の第３および第４の実施の形態は、ＮＭＳ１の指示により、ＤＳＬＡＭ２が上りＡＤＳＬ信号の帯域の増加となっているサブキャリアの試験を行い、その試験中にＤＳＬＡＭ２を介してＮＭＳ１が同一カッドで使用している別のＡＤＳＬ回線の通信状態（障害）を検出する。従って、第３および第４の実施の形態は、ＮＭＳ１がオーバラップに使用するＡＤＳＬ回線９０２のサブキャリアの使用／未使用の判定ができることになる。そのため、第３および第４の実施の形態は、同一カッド内に使用されているＡＤＳＬ回線９０２複数に影響を与えずに上りＡＤＳＬ信号の帯域の増加となっているＡＤＳＬ回線９０２を使用できる。
【０２１５】
また、本発明の第３および第４の実施の形態は、ＮＭＳ１がＤＳＬＡＭ２に上りＡＤＳＬ信号の帯域の増加となっているサブキャリアの試験を行わせることにより、各ＡＤＳＬ回線９０２、ケーブルごとに異なる要因を検出する。更に、第３および第４の実施の形態は、検出した要因に合った使い方（障害があれば使用禁止）としてダイナミックに制御を行う。そのため、本発明の第３および第４の実施の形態は、ケーブル中のＡＤＳＬ回線どうしの漏話の取り締まりが運用中でも容易にできる。
【図面の簡単な説明】
【０２１６】
【図１】本発明の第１または第３の実施の形態の構成を示すシステム構成図である。
【図２】ＡＤＳＬにおけるオーバラップの電力分布図である。
【図３】ＡＤＳＬのサブキャリアの詳細な電力分布を示したサブキャリア電力分布図である。
【図４】図１の第１の実施形態におけるＤＳＬＡＭおよびＡＤＳＬモデム内において、エコーキャンセラまたはＮＭＳ１からの制御により動作する制御回路との構成を示す構成図である。
【図５】本発明の第２または第４の実施の形態の構成を示すシステム構成図である。
【図６】オーバラップ使用許可時の動作を示すシーケンス図である。
【図７】オーバラップ使用不許可時（その１）の動作を示すシーケンス図である。
【図８】オーバラップ使用不許可時（その２）の動作を示すシーケンス図である。
【図９】第１の実施の形態における回線状態制御信号線９０１の通信異常時（その１）の動作を示すシーケンス図である。
【図１０】第１の実施の形態における回線状態制御信号線９０１の通信異常時（その２）の動作を示すシーケンス図である。
【図１１】図１の第１の実施の形態におけるＤＳＬＡＭがサブキャリア制御を行う場合のフローチャートである。
【図１２】図５の第２または第４の実施の形態における統合ＮＭＳの動作を示すシーケンス図である。
【図１３】ＡＤＳＬにおける上りＡＤＳＬ信号の周波数帯域の増加となっている場合の電力分布図である。
【図１４】（ａ）は、図１の第３または第４の実施の形態におけるＤＳＬＡＭ内の構成を示す構成図であり、（ｂ）は、図１の第３または第４の実施の形態におけるＡＤＳＬモデム内の構成を示す構成図である。
【図１５】ＡＤＳＬ回線の上りＡＤＳＬ信号の帯域を増加した場合、ＮＭＳが上りＡＤＳＬ信号に帯域増加したサブキャリアの試験を行う場合の動作を示すフローチャートである。
【図１６】ＡＤＳＬ回線の上りＡＤＳＬ信号の帯域を増加した場合、ＤＳＬＡＭが上りＡＤＳＬ信号に帯域増加したサブキャリアの試験を行う場合の動作を示すフローチャートである。
【図１７】ＡＤＳＬ回線の上りＡＤＳＬ信号の帯域を増加した場合、ＡＤＳＬモデムが上りＡＤＳＬ信号に帯域増加したサブキャリアの試験を行う場合の動作を示すフローチャートである。
【図１８】図１の第３の実施の形態または図５の第４の実施の形態において、ＡＤＳＬモデムがサブキャリア制御を行う場合のフローチャートである。
【図１９】上りＡＤＳＬ信号の帯域増加使用許可時の動作を示すシーケンス図である。
【図２０】上りＡＤＳＬ信号の帯域増加使用不許可時（その１）の動作を示すシーケンス図である。
【図２１】上りＡＤＳＬ信号の帯域増加使用不許可時（その２）の動作を示すシーケンス図である。
【図２２】第３の実施形態における回線状態制御信号線９０１の通信異常時（その１）の動作を示すシーケンス図である。
【図２３】第３の実施形態における回線状態制御信号線９０１の通信異常時（その２）の動作を示すシーケンス図である。
【図２４】従来のシステムの構成を示す図である。
【図２５】オーラップのないＡＤＳＬの電力分布図である。
【符号の説明】
【０２１７】
１    ＮＭＳ
２    ＤＳＬＡＭ
３    回線ケーブル
４    ＡＤＳＬモデム
５    端末装置
６    サービス供給装置
７    統合ＮＭＳ
２１，３１，４１    制御回路
２２    エコーキャンセラ
２３，３３，４３    送信回路
２４，３４，４４    ハイブリッド回路
２５，３５，４５    受信回路
２６    減算回路
９０１    回線状態制御信号線
９０２    ＡＤＳＬ回線
９０３    端末側データ信号線
９０４    局舎側データ信号線
９０５    出力データ信号
９０６    入力データ信号
９０７    エコーキャンセラ信号
９０８    出力ＡＤＳＬ信号
９０９    入力ＡＤＳＬ信号
９１０    エコー消去後入力データ信号
９１１    統合制御信号線
９１２，９３１，９４１    送信試験データ
９２６，９４５    上りデータ信号
９２５，９４６    下りデータ信号
９２９，９４８    上りＡＤＳＬ信号
９２８，９４９    下りＡＤＳＬ信号
【図１】
2005295528.tif 000003
【図２】
2005295528.tif 000004
【図３】
2005295528.tif 000005
【図４】
2005295528.tif 000006
【図５】
2005295528.tif 000007
【図６】
2005295528.tif 000008
【図７】
2005295528.tif 000009
【図８】
2005295528.tif 000010
【図９】
2005295528.tif 000011
【図１０】
2005295528.tif 000012
【図１１】
2005295528.tif 000013
【図１２】
2005295528.tif 000014
【図１３】
2005295528.tif 000015
【図１４】
2005295528.tif 000016
【図１５】
2005295528.tif 000017
【図１６】
2005295528.tif 000018
【図１７】
2005295528.tif 000019
【図１８】
2005295528.tif 000020
【図１９】
2005295528.tif 000021
【図２０】
2005295528.tif 000022
【図２１】
2005295528.tif 000023
【図２２】
2005295528.tif 000024
【図２３】
2005295528.tif 000025
【図２４】
2005295528.tif 000026
【図２５】
2005295528.tif 000027